(57)【特許請求の範囲】
【請求項１】
無線通信方法であって、前記方法はＮ個のセルを含む通信システムにおいて実行され、前記Ｎ個のセルのうちの少なくとも２個のセルは同じキャリアセットを用いて無線通信を実行でき、前記キャリアセットはＭ個のキャリアを含み、前記Ｍ個のキャリアは時間ドメインにおいてＮ個の時間周波数リソースグループに分割され、前記Ｎ個の時間周波数リソースグループの各々はＭ個の時間周波数リソースを含み、同じ時間周波数リソースグループの中の前記Ｍ個の時間周波数リソースは前記Ｍ個のキャリアと１対１対応にあり、任意の２つの時間周波数リソースグループの中で、同じキャリアに対応する時間周波数リソースの時間ドメイン位置は異なり、Ｎ≧２、且つＭ≧２であり、前記方法は、
ネットワーク装置により、第１時間周波数リソースグループを前記Ｎ個の時間周波数リソースグループから決定するステップと、
前記ネットワーク装置により、無線通信を前記Ｎ個のセルのうちの第１セル内で、前記第１時間周波数リソースグループの中の一部又は全部の時間周波数リソースを用いて実行するステップであって、前記第１セルは前記ネットワーク装置により提供される、ステップと、
を含む方法。
【請求項２】
前記同じ時間周波数リソースグループの中の前記Ｍ個の時間周波数リソースの時間ドメインは異なる、請求項１に記載の方法。
【請求項３】
前記ネットワーク装置により、無線通信を前記第１セル内で、前記第１時間周波数リソースグループの中の一部又は全部の時間周波数リソースを用いて実行する前記ステップは、
前記ネットワーク装置により、第１送信電力を決定するステップであって、前記第１送信電力は、前記第１セルにより、無線通信を前記Ｍ個のキャリアで第１期間に実行するために使用可能な合計送信電力であり、前記第１期間は、前記第１時間周波数リソースグループの中の前記一部又は全部の時間周波数リソースのｉ番目の時間周波数リソースに対応する期間であり、ｉ∈［１，Ｐ］、且つＰ≦Ｍである、ステップと、
前記ネットワーク装置により、第２送信電力が前記第１送信電力以下になるように、前記第２送信電力を前記第１送信電力に従い決定するステップと、
前記ネットワーク装置により、無線通信を前記ｉ番目の時間周波数リソースで前記第２送信電力を用いて実行するステップと、
を含む、請求項２に記載の方法。
【請求項４】
前記方法は、
前記ネットワーク装置により、第２時間周波数リソースグループを前記Ｎ個の時間周波数リソースグループから決定するステップであって、前記第２時間周波数リソースグループは、前記ネットワーク装置により、無線通信を前記Ｎ個のセルのうちの第２セル内で実行するために使用される時間周波数リソースグループである、ステップと、
前記ネットワーク装置により、前記第１セル内で、前記第１セルのセル固有参照信号（ＣＲＳ）を前記第２時間周波数リソースグループの中の時間周波数リソースで送信することを禁止するステップと、
を更に含む請求項１乃至３のいずれか一項に記載の方法。
【請求項５】
前記方法は、
前記ネットワーク装置により、第１データを取得するステップであって、前記第１データは、前記第２セル内で前記第２時間周波数リソースグループの中の一部又は全部の時間周波数リソースを用いて送信されるべきデータである、ステップと、
前記ネットワーク装置により、前記第１セル内で前記第１データを前記第２時間周波数リソースグループの中の前記一部又は全部の時間周波数リソースを用いて送信するステップと、
を更に含む請求項４に記載の方法。
【請求項６】
前記方法は、
前記ネットワーク装置により、前記Ｍ個のキャリアを分割して、前記Ｎ個の時間周波数リソースグループを決定するステップ、
を更に含む請求項１乃至５のいずれか一項に記載の方法。
【請求項７】
前記ネットワーク装置により、前記Ｍ個のキャリアを分割して、前記Ｎ個の時間周波数リソースグループを決定する前記ステップは、
前記ネットワーク装置により、各セルの物理セル識別子（ＰＣＩ）に対するモジュロ演算を実行することにより、前記Ｎ個の時間周波数リソースグループを決定するステップを含む、
請求項６に記載の方法。
【請求項８】
前記方法は、
前記ネットワーク装置により、指示情報を前記第１セル内に位置する端末装置へ送信するステップであって、前記指示情報は前記第１時間周波数リソースグループを示すために使用される、ステップ、
を更に含む請求項１乃至７のいずれか一項に記載の方法。
【請求項９】
無線通信方法であって、前記方法はＮ個のセルを含む通信システムにおいて実行され、前記Ｎ個のセルのうちの少なくとも２個のセルは同じキャリアセットを用いて無線通信を実行でき、前記キャリアセットはＭ個のキャリアを含み、前記Ｍ個のキャリアは時間ドメインにおいてＮ個の時間周波数リソースグループに分割され、前記Ｎ個の時間周波数リソースグループの各々はＭ個の時間周波数リソースを含み、同じ時間周波数リソースグループの中の前記Ｍ個の時間周波数リソースは前記Ｍ個のキャリアと１対１対応にあり、任意の２つの時間周波数リソースグループの中で、同じキャリアに対応する時間周波数リソースの時間ドメイン位置は異なり、Ｎ≧２、且つＭ≧２であり、前記方法は、
端末装置により、ネットワーク装置により送信された指示情報を受信するステップであって、前記指示情報は、前記Ｎ個の時間周波数リソースグループの中の第１時間周波数リソースグループを示すために使用され、前記端末装置は前記Ｎ個のセルのうちの第１セル内に位置し、前記第１セルは前記ネットワーク装置により提供される、ステップと、
前記端末装置により、無線通信を前記第１セル内で、前記第１時間周波数リソースグループの中の一部又は全部の時間周波数リソースを用いて実行するステップと、
を含む方法。
【請求項１０】
前記同じ時間周波数リソースグループの中の前記Ｍ個の時間周波数リソースの時間ドメインは異なる、請求項９に記載の方法。
【請求項１１】
前記Ｎ個の時間周波数リソースグループは、前記Ｍ個のキャリアを前記ネットワーク装置により分割することにより取得される、請求項９又は１０に記載の方法。
【請求項１２】
前記Ｎ個の時間周波数リソースグループは、前記ネットワーク装置により各セルの物理セル識別子（ＰＣＩ）に対するモジュロ演算を実行することにより決定される、請求項１１に記載の方法。
【請求項１３】
無線通信機器であって、前記機器はＮ個のセルを含む通信システムにおいて実行され、前記Ｎ個のセルのうちの少なくとも２個のセルは同じキャリアセットを用いて無線通信を実行でき、前記キャリアセットはＭ個のキャリアを含み、前記Ｍ個のキャリアは時間ドメインにおいてＮ個の時間周波数リソースグループに分割され、前記Ｎ個の時間周波数リソースグループの各々はＭ個の時間周波数リソースを含み、同じ時間周波数リソースグループの中の前記Ｍ個の時間周波数リソースは前記Ｍ個のキャリアと１対１対応にあり、任意の２つの時間周波数リソースグループの中で、同じキャリアに対応する時間周波数リソースの時間ドメイン位置は異なり、Ｎ≧２、且つＭ≧２であり、前記機器は、
第１時間周波数リソースグループを前記Ｎ個の時間周波数リソースグループから決定するよう構成される決定ユニットと、
無線通信を前記Ｎ個のセルのうちの第１セル内で前記第１時間周波数リソースグループの中の一部又は全部の時間周波数リソースを用いて実行するよう構成される通信ユニットであって、前記第１セルは前記機器により提供される、通信ユニットと、
を含む機器。
【請求項１４】
前記同じ時間周波数リソースグループの中の前記Ｍ個の時間周波数リソースの時間ドメインは異なる、請求項１３に記載の機器。
【請求項１５】
前記決定ユニットは、
第１送信電力を決定し、前記第１送信電力は、前記第１セルにより、無線通信を前記Ｍ個のキャリアで第１期間に実行するために使用可能な合計送信電力であり、前記第１期間は、前記第１時間周波数リソースグループの中の前記一部又は全部の時間周波数リソースのｉ番目の時間周波数リソースに対応する期間であり、ｉ∈［１，Ｐ］、且つＰ≦Ｍであり、
第２送信電力が前記第１送信電力以下になるように、前記第２送信電力を前記第１送信電力に従い決定する、よう更に構成され、
前記通信ユニットは、具体的に、
無線通信を前記ｉ番目の時間周波数リソースで前記第２送信電力を用いて実行するよう構成される、請求項１４に記載の機器。
【請求項１６】
前記決定ユニットは、
第２時間周波数リソースグループを前記Ｎ個の時間周波数リソースグループから決定するよう更に構成され、前記第２時間周波数リソースグループは、ネットワーク装置により、無線通信を前記Ｎ個のセルのうちの第２セル内で実行するために使用される時間周波数リソースグループであり、
前記通信ユニットは、
前記第１セル内で、前記第１セルのセル固有参照信号（ＣＲＳ）を前記第２時間周波数リソースグループの中の時間周波数リソースで送信することを禁止するよう更に構成される、
請求項１３乃至１５のいずれか一項に記載の機器。
【請求項１７】
前記機器は、
第１データを取得するよう構成される取得ユニットであって、前記第１データは、前記第２セル内で前記第２時間周波数リソースグループの中の一部又は全部の時間周波数リソースを用いて送信されるべきデータである、取得ユニット、を更に含み、
前記通信ユニットは、
前記第１セル内で前記第１データを前記第２時間周波数リソースグループの中の前記一部又は全部の時間周波数リソースを用いて送信するよう更に構成される、請求項１６に記載の機器。
【請求項１８】
前記機器は、
前記Ｍ個のキャリアを分割して、前記Ｎ個の時間周波数リソースグループを決定するよう構成される分割ユニット、
を更に含む請求項１３乃至１７のいずれか一項に記載の機器。
【請求項１９】
前記分割ユニットは、具体的に、
各セルの物理セル識別子（ＰＣＩ）に対するモジュロ演算を実行することにより、前記Ｎ個の時間周波数リソースグループを決定するよう構成される、請求項１８に記載の機器。
【請求項２０】
前記通信ユニットは、
指示情報を前記第１セル内に位置する端末装置へ送信するよう更に構成され、前記指示情報は前記第１時間周波数リソースグループを示すために使用される、請求項１３乃至１９のいずれか一項に記載の機器。
【請求項２１】
無線通信機器であって、前記機器はＮ個のセルを含む通信システムにおいて実行され、前記Ｎ個のセルのうちの少なくとも２個のセルは同じキャリアセットを用いて無線通信を実行でき、前記キャリアセットはＭ個のキャリアを含み、前記Ｍ個のキャリアは時間ドメインにおいてＮ個の時間周波数リソースグループに分割され、前記Ｎ個の時間周波数リソースグループの各々はＭ個の時間周波数リソースを含み、同じ時間周波数リソースグループの中の前記Ｍ個の時間周波数リソースは前記Ｍ個のキャリアと１対１対応にあり、任意の２つの時間周波数リソースグループの中で、同じキャリアに対応する時間周波数リソースの時間ドメイン位置は異なり、Ｎ≧２、且つＭ≧２であり、前記機器は、
ネットワーク装置により送信された指示情報を受信するよう構成される通信ユニットであって、前記指示情報は、前記Ｎ個の時間周波数リソースグループの中の第１時間周波数リソースグループを示すために使用され、前記機器は前記Ｎ個のセルのうちの第１セル内に位置し、前記第１セルは前記ネットワーク装置により提供される、通信ユニット、を含み、
前記通信ユニットは、無線通信を前記第１セル内で、前記第１時間周波数リソースグループの中の一部又は全部の時間周波数リソースを用いて実行するよう更に構成される、機器。
【請求項２２】
前記同じ時間周波数リソースグループの中の前記Ｍ個の時間周波数リソースの時間ドメインは異なる、請求項２１に記載の機器。
【請求項２３】
前記Ｎ個の時間周波数リソースグループは、前記Ｍ個のキャリアを前記ネットワーク装置により分割することにより取得される、請求項２１又は２２に記載の機器。
【請求項２４】
前記Ｎ個の時間周波数リソースグループは、前記ネットワーク装置により各セルの物理セル識別子（ＰＣＩ）に対するモジュロ演算を実行することにより決定される、請求項２３に記載の機器。
【請求項２５】
無線通信機器であって、少なくとも１つのプロセッサと、前記少なくとも１つのプロセッサに結合されたメモリと、を含み、前記少なくとも１つのプロセッサは請求項１乃至８のいずれか一項に記載の方法を実行するよう構成される、機器。
【請求項２６】
無線通信機器であって、少なくとも１つのプロセッサと、前記少なくとも１つのプロセッサに結合されたメモリと、を含み、前記少なくとも１つのプロセッサは請求項９乃至１２のいずれか一項に記載の方法を実行するよう構成される、機器。
【請求項２７】
コンピュータ記憶媒体であって、コンピュータプログラムが前記コンピュータ記憶媒体に格納され、前記プログラムがプロセッサにより実行されると、請求項１乃至８のいずれか一項に記載の方法が実施される、コンピュータ記憶媒体。
【請求項２８】
コンピュータ記憶媒体であって、コンピュータプログラムが前記コンピュータ記憶媒体に格納され、前記プログラムがプロセッサにより実行されると、請求項９乃至１２のいずれか一項に記載の方法が実施される、コンピュータ記憶媒体。
【請求項２９】
プログラムであって、プロセッサにより実行されると、請求項１乃至８のいずれか一項に記載の方法が実施される、プログラム。
【請求項３０】
プログラムであって、プロセッサにより実行されると、請求項９乃至１２のいずれか一項に記載の方法が実施される、プログラム。
【発明の詳細な説明】
【技術分野】
【０００１】
本発明の実施形態は、通信分野に関し、より具体的に、通信分野における無線通信に関連する方法及び機器に関する。
【背景技術】
【０００２】
知的端末の普及に伴い、豊富なサービスがモバイルブロードバンドの急速な発展を促進し、その結果、ネットワークトラフィックが絶えず増加している。増大したネットワークトラフィックは、通信システムにおける干渉問題を深刻にする。ロングタームエボリューション（Long  Term  Evolution,  LTE）システムでは、セル内干渉は、ＬＴＥシステム能力及びシステム性能に影響する重要な要因の１つである。特に、セル端に位置するユーザは、比較的粗悪なユーザ経験を有する。現在、周波数内ネットワーキング方法は、主にシステム内のセル間で使用される。周波数内ネットワーキングでは、同一チャネル干渉調整が実施される。例えば、調整多地点送信／受信（Coordinated  Multiple  Points  Transmission/Reception,  COMP）及びセル間干渉調整（Inter-Cell  Interference  Coordination,  ICIC）である。この同一チャネル干渉調整方法は、周波数内セル間のサービスチャネルの干渉を低減できるが、周波数内セル間の制御チャネルの干渉を低減できない。したがって、周波数内セルでは、どのようにサービスチャネル及び制御チャネルの両方の干渉を効果的に低減するかが、業界において解決される必要のある緊急の問題になっている。
【発明の概要】
【０００３】
本発明の実施携帯は、周波数内セル間干渉を効果的に低減し、及び特に周波数内セル間の制御チャネルの干渉を低減するために、無線通信方法及びネットワーク装置を提供する。
【０００４】
第１の態様によると、無線通信方法であって、前記方法はＮ個のセルを含む通信システムにおいて実行され、前記Ｎ個のセルのうちの少なくとも２個のセルは同じキャリアセットを用いて無線通信を実行でき、前記キャリアセットはＭ個のキャリアを含み、前記Ｍ個のキャリアはＮ個の時間周波数リソースグループに分割され、前記Ｎ個の時間周波数リソースグループの各々はＭ個の時間周波数リソースを含み、同じ時間周波数リソースグループの中の前記Ｍ個の時間周波数リソースは前記Ｍ個のキャリアと１対１対応にあり、任意の２つの時間周波数リソースグループの中で、同じキャリアに対応する時間周波数リソースの時間ドメイン位置は異なり、Ｎ≧２、且つＭ≧２であり、前記方法は、ネットワーク装置により、第１時間周波数リソースグループを前記Ｎ個の時間周波数リソースグループから決定するステップと、前記ネットワーク装置により、無線通信を前記Ｎ個のセルのうちの第１セル内で、前記第１時間周波数リソースグループの中の一部又は全部の時間周波数リソースを用いて実行するステップであって、前記第１セルは前記ネットワーク装置により提供される、ステップと、を含む方法が提供される。
【０００５】
したがって、本発明の本実施形態で提供される無線通信方法によると、Ｎ個の時間周波数リソースグループがＭ個のキャリアを分割することにより取得され、Ｎ個の時間周波数リソースグループのうちの任意の２個の中で、同じキャリアに対応する時間周波数リソースの時間ドメイン位置は異なる。その結果、周波数内セル間干渉は効果的に低減できる。つまり、ネットワーク装置は、異なる時間周波数リソースを用いて、異なるセル内で無線通信を実行できる。同じキャリアに対応する時間周波数リソースの時間ドメイン位置は異なるので、周波数内セル間干渉が効果的に低減できる。従来と比べて、周波数内セル間の制御チャネルの干渉は一層効果的に低減できる。
【０００６】
第１の態様を参照して、第１の態様の第１の実装では、前記同じ時間周波数リソースグループの中の前記Ｍ個の時間周波数リソースの時間ドメインは異なる。
【０００７】
したがって、本発明の本実施形態で提供される無線通信方法によると、同じ時間周波数リソースグループの中のＭ個の時間周波数リソースの時間ドメイン位置は異なる。その結果、ネットワーク装置が無線通信を同じセル内で実行するとき、キャリア間干渉は効果的に低減でき、同じセル内の異なるキャリア間の電力共有が効果的にサポートできる。
【０００８】
第１の態様を参照して、第１の態様の第２の実装では、前記ネットワーク装置により、無線通信を前記第１セル内で、前記第１時間周波数リソースグループの中の一部又は全部の時間周波数リソースを用いて実行する前記ステップは、前記ネットワーク装置により、第１送信電力を決定するステップであって、前記第１送信電力は、前記第１セルにより、無線通信を前記Ｍ個のキャリアで第１期間に実行するために使用可能な合計送信電力であり、前記第１期間は、前記第１時間周波数リソースグループの中の前記一部又は全部の時間周波数リソースのｉ番目の時間周波数リソースに対応する期間であり、ｉ∈［１，Ｐ］、且つＰ≦Ｍである、ステップと、前記ネットワーク装置により、第２送信電力が前記第１送信電力以下になるように、前記第２送信電力を前記第１送信電力に従い決定するステップと、前記ネットワーク装置により、無線通信を前記ｉ番目の時間周波数リソースで前記第２送信電力を用いて実行するステップと、を含む。
【０００９】
したがって、本発明の本実施形態で提供される無線通信方法によると、無線通信を実行するために使用される時間周波数リソースの送信電力は、第１送信電力に従い動的に割り当てられ、それにより、同じセル内の異なるキャリア間の電力共有を効果的に実施する。
【００１０】
第１の態様を参照して、第１の態様の第３の実装では、前記方法は、ネットワーク装置により、第２時間周波数リソースグループをＮ個の時間周波数リソースグループから決定するステップであって、第２時間周波数リソースグループは、ネットワーク装置により、無線通信をＮ個のセルのうちの第２セル内で実行するために使用される時間周波数リソースグループである、ステップと、ネットワーク装置により、第１セル内で、第１セルのセル固有参照信号ＣＲＳを第２時間周波数リソースグループの中の時間周波数リソースで送信することを禁止するステップと、を更に含む。
【００１１】
したがって、本発明の本実施形態で提供される無線通信方法によると、ネットワーク装置は、第１セル内で、第２時間周波数リソースグループ内の時間周波数リソースでＣＲＳを送信することを禁止する。その結果、周波数間近隣セルに対する干渉が効果的に低減できる。
【００１２】
第１の態様を参照して、第１の態様の第４の実装では、前記方法は、前記ネットワーク装置により、第１データを取得するステップであって、前記第１データは、前記第２セル内で前記第２時間周波数リソースグループの中の一部又は全部の時間周波数リソースを用いて送信されるべきデータである、ステップと、前記ネットワーク装置により、前記第１セル内で前記第１データを前記第２時間周波数リソースグループの中の前記一部又は全部の時間周波数リソースを用いて送信するステップと、を更に含む。
【００１３】
したがって、本発明の本実施形態で提供される無線通信方法によると、第１セル内で、ネットワーク装置は、第１セルのＣＲＳを送信するために使用されることを禁止されている時間周波数リソースを調整リソースとして使用して、周波数間近隣セル（つまり第２セル）のデータを送信する。その結果、第２セルのユーザデータを伝達する信号の信号対雑音比が効果的に向上でき、データ伝送品質が向上する。
【００１４】
第１の態様を参照して、第１の態様の第５の実装では、前記方法は、前記ネットワーク装置により、前記Ｍ個のキャリアを分割して、前記Ｎ個の時間周波数リソースグループを決定するステップ、を更に含む。
【００１５】
第１の態様を参照して、第１の態様の第６の実装では、前記ネットワーク装置により、前記Ｍ個のキャリアを分割して、前記Ｎ個の時間周波数リソースグループを決定する前記ステップは、前記ネットワーク装置により、前記Ｍ個のキャリアを物理セル識別子ＰＣＩに従い分割して、前記Ｎ個の時間周波数リソースグループを決定するステップを含む。
【００１６】
第２の態様によると、無線通信方法であって、前記方法はＮ個のセルを含む通信システムにおいて実行され、前記Ｎ個のセルのうちの少なくとも２個のセルは同じキャリアセットを用いて無線通信を実行でき、前記キャリアセットはＭ個のキャリアを含み、前記Ｍ個のキャリアはＮ個の時間周波数リソースグループに分割され、前記Ｎ個の時間周波数リソースグループの各々はＭ個の時間周波数リソースを含み、同じ時間周波数リソースグループの中の前記Ｍ個の時間周波数リソースは前記Ｍ個のキャリアと１対１対応にあり、任意の２つの時間周波数リソースグループの中で、同じキャリアに対応する時間周波数リソースの時間ドメイン位置は異なり、Ｎ≧２、且つＭ≧２であり、前記方法は、端末装置により、ネットワーク装置により送信された指示情報を受信するステップであって、前記指示情報は、前記Ｎ個の時間周波数リソースグループの中の第１時間周波数リソースグループを示すために使用され、前記端末装置は前記Ｎ個のセルのうちの第１セル内に位置し、前記第１セルは前記ネットワーク装置により提供される、ステップと、前記端末装置により、無線通信を前記第１セル内で、前記第１時間周波数リソースグループの中の一部又は全部の時間周波数リソースを用いて実行するステップと、を含む方法が提供される。
【００１７】
したがって、本発明の本実施形態で提供される無線通信方法によると、Ｎ個の時間周波数リソースグループがＭ個のキャリアを分割することにより取得され、Ｎ個の時間周波数リソースグループのうちの任意の２個の中で、同じキャリアに対応する時間周波数リソースの時間ドメイン位置は異なる。その結果、周波数内セル間干渉は効果的に低減できる。つまり、端末装置は、異なる時間周波数リソースを用いて、異なるセル内でネットワーク装置との無線通信を実行できる。同じキャリアに対応する時間周波数リソースの時間ドメイン位置は異なるので、周波数内セル間干渉が効果的に低減できる。従来と比べて、周波数内セル間の制御チャネルの干渉は一層効果的に低減できる。
【００１８】
第２の態様を参照して、第２の態様の第１の実装では、前記同じ時間周波数リソースグループの中の前記Ｍ個の時間周波数リソースの時間ドメインは異なる。
【００１９】
第２の態様を参照して、第２の態様の第２の実装では、前記Ｎ個の時間周波数リソースグループは、前記Ｍ個のキャリアを前記ネットワーク装置により分割することにより取得される。
【００２０】
第２の態様を参照して、第２の態様の第３の実装では、前記Ｎ個の時間周波数リソースグループは、前記Ｍ個のキャリアを前記ネットワーク装置により物理セル識別子ＰＣＩに従い分割することにより取得される。
【００２１】
第３の態様によると、無線通信機器が提供され、前記機器は、第１の態様又は第１の態様のいずれかの可能な実装によるネットワーク装置の動作を実行するよう構成されてよい。具体的に、前記機器は、第１の態様又は第１の態様のいずれかの可能な実装によるネットワーク装置の動作を実行するよう構成されるモジュール及びユニットを含んでよい。
【００２２】
第４の態様によると、無線通信機器が提供され、前記機器は、第２の態様又は第２の態様のいずれかの可能な実装による端末装置の動作を実行するよう構成されてよい。具体的に、前記機器は、第２の態様又は第２の態様のいずれかの可能な実装によるネットワーク装置の動作を実行するよう構成されるモジュール及びユニットを含んでよい。
【００２３】
第５の態様によると、無線通信ネットワーク装置が提供され、前記ネットワーク装置は、プロセッサ、通信機、及びメモリ、を含む。プロセッサ、通信機、及びメモリは、互いに内部接続パスを用いて通信する。メモリは命令を格納するよう構成され、プロセッサは、メモリに格納された命令を実行するよう構成される。プロセッサがメモリに格納された命令を実行すると、ネットワーク装置は、第１の態様又は第１の態様のいずれかの可能な実装による方法を実行し、又は、ネットワーク装置は、第３の態様で提供される機器を実施する。
【００２４】
第６の態様によると、無線通信端末装置が提供され、前記端末装置は、プロセッサ、通信機、及びメモリ、を含む。プロセッサ、通信機、及びメモリは、互いに内部接続パスを用いて通信する。メモリは命令を格納するよう構成され、プロセッサは、メモリに格納された命令を実行するよう構成される。プロセッサがメモリに格納された命令を実行すると、端末装置は、第２の態様又は第２の態様のいずれかの可能な実装による方法を実行し、又は、端末装置は、第４の態様で提供される機器を実施する。
【００２５】
第７の態様によると、コンピュータ可読記憶媒体が提供され、コンピュータプログラムを格納するよう構成され、該コンピュータプログラムは第１の態様又は第１の態様のいずれかの可能な実装による方法を実行するために使用される命令を含む。
【００２６】
第８の態様によると、コンピュータ可読記憶媒体が提供され、コンピュータプログラムを格納するよう構成され、該コンピュータプログラムは第２の態様又は第２の態様のいずれかの可能な実装による方法を実行するために使用される命令を含む。
【００２７】
全ての態様の実装を参照して、幾つかの実装では、Ｎ個の時間周波数リソースグループはＮ個のセルに割り当てられる。その結果、Ｎ個のセルの各々は、該セルに対応する時間周波数リソースグループを使用する。
【図面の簡単な説明】
【００２８】
本発明の実施形態の技術的解決策をより明確に記載するために、実施形態又は従来技術を説明するのに必要な添付の図面を以下に簡単に記載する。
【００２９】
【図１】本発明による無線通信方法に適用可能な通信システムの概略アーキテクチャ図である。
【００３０】
【図２Ａ】従来のセル間干渉を低減する方法の概略図である。
【図２Ｂ】従来のセル間干渉を低減する方法の概略図である。
【００３１】
【図３】本発明の一実施形態による無線通信方法における時間周波数リソースの概略図である。
【００３２】
【図４】本発明の一実施形態による無線通信方法の概略フローチャートである。
【００３３】
【図５】本発明の別の実施形態による無線通信方法の概略フローチャートである。
【００３４】
【図６】本発明の一実施形態による無線通信方法における時間周波数リソースの別の概略図である。
【００３５】
【図７】本発明の一実施形態による無線通信機器の概略ブロック図である。
【００３６】
【図８】本発明の一実施形態による無線通信機器の概略ブロック図である。
【００３７】
【図９】本発明の一実施形態による無線通信ネットワーク装置の概略構造図である。
【００３８】
【図１０】本発明の一実施形態による無線通信端末装置の概略構造図である。
【発明を実施するための形態】
【００３９】
以下は、本発明の実施形態における添付の図面を参照して、本発明の実施形態における技術的ソリューションを明確且つ十分に説明する。
【００４０】
理解されるべきことに、本発明の実施形態の技術的ソリューションは、グローバルシステム・フォー・モバイルコミュニケーション（Global  System  of  Mobile  communication,  GSM）、符号分割多元接続（Code  Division  Multiple  Access,  CDMA）システム、広帯域符号分割多元接続（Wideband  Code  Division  Multiple  Access  Wireless,  WCDMA）システム、汎用パケット無線サービス（General  Packet  Radio  Service,  GPRS）、及びロングタームエボリューション（Long  Term  Evolution,  LTE）システム、アドバンストロングタームエボリューション（Advanced  Long  Term  Evolution,  LTE-A）システム、ユニバーサル・モバイル・テレコミュニケーション・システム（Universal  Mobile  Telecommunications  System,  UMTS）、又は次世代通信システムのような種々の通信システムに適用されてよい。
【００４１】
本発明の実施形態は、ネットワーク装置を参照して記載される。ネットワーク装置は、モバイル装置と通信するよう構成される装置であってよい。ネットワーク装置は、ＷＬＡＮにおけるアクセスポイント（ACCESS  POINT,  AP）、又はＧＳＭ若しくはＣＤＭＡにおける基地通信局（Base  Transceiver  Station,  BTS）であってよく、ＷＣＤＭＡにおけるＮｏｄｅＢ（NodeB、ＮＢ）であってよく、又はＬＴＥにおける進化型ＮｏｄｅＢ（Evolutional  Node  B,  eNB又はeNodeB）、中継局若しくはアクセスポイント、又は車内装置、ウェアラブル装置、将来の５Ｇネットワークにおけるネットワーク装置、将来の進化型ＰＬＭＮにおけるネットワーク装置、等であってよい。
【００４２】
任意で、ネットワーク装置は基地局であってよい。基地局は、全方位性基地局であってよく、又は指向性基地局であってよい。全方位性基地局のカバレッジエリアは１個のセクタを含み、指向性基地局のカバレッジエリアは３個のセクタを含み、異なるセクタが異なるカバレッジエリアを有する。
【００４３】
通信システムでは、１個の基地局が少なくとも２個のセルに対応してよく、少なくとも２個のセルは少なくとも２個のキャリアを用いて通信を実行してよい。図１に示すように、指向性基地局が一例として使用される。１個の基地局は、３個のセル、つまりセル１、セル２、及びセル３に対応する。３個のセルは、無線通信を３個のキャリア、つまりキャリア１、キャリア２、及びキャリア３を用いて実行してよい。一例として、限定ではなく、１個の基地局は、３個より多くのセルに対応してよく、また、複数のセルは３個より多くのキャリアを用いて通信を実行してよい。図１は、単に概略的説明であり、本発明の本実施形態に限定を課さない。
【００４４】
理解されるべきことに、本発明の本実施形態は、同じ基地局に対応する異なるセルに適用されてよく、異なる基地局に対応する異なるセルに更に適用されてよい。例えば、セル１及びセル２は近隣セルであり、又は、セル１及びセル２は異なる基地局に属する。
【００４５】
さらに、本発明の実施形態は、セルを参照して記載される。セルは、ネットワーク装置（例えば、基地局）に対応するセルであってよい。セルは、マクロ基地局に属し、又はスモールセル（small  cell）に対応する基地局に属してよい。スモールセルは、ここでは、メトロセル（Metro  cell）、マイクロセル（Micro  cell）、ピコセル（Pico  Cell）、フェムトセル（Femto  Cell）、等を含んでよい。これらのスモールセルは、小さなカバレッジエリア及び低い送信電力により特徴付けられ、高速データ伝送サービスに適用可能である。
【００４６】
本発明の実施形態は、無線通信方法及び機器を提供する。方法はネットワーク装置により実行されてよく、ネットワーク装置は、ハードウェアレイヤ、ハードウェアレイヤの上位で動作するオペレーティングシステムレイヤ、及びオペレーティングシステムレイヤの上位で動作するアプリケーションレイヤを含む。ハードウェアレイヤは、中央処理ユニット（Central  Processing  Unit,  CPU）、メモリ管理ユニット（Memory  Management  Unit,  MMU）、及びメモリ（メインメモリとも呼ばれる）、等を含む。オペレーティングシステムは、Ｌｉｎｕｘオペレーティングシステム、Ｕｎｉｘオペレーティングシステム、Ａｎｄｒｏｉｄオペレーティングシステム、ｉＯＳオペレーティングシステム、又はＷｉｎｄｏｗｓオペレーティングシステムのような、プロセス（process）を用いてサービス処理を実施する１つ以上のコンピュータオペレーティングシステムでのうちの任意の１つあってよい。アプリケーションレイヤは、ブラウザ、アドレス帳、ワープロソフトウェア、及びインスタント通信ソフトウェアのようなアプリケーションを含む。さらに、無線通信方法を実行するエンティティの特定構造は、該エンティティが本発明の実施形態における無線通信方法に従い本発明の実施形態における無線通信方法を記録するコードのプログラムを実行することにより通信を実行できるならば、本発明の実施形態において特に限定されない。例えば、本発明の実施形態における無線通信方法は、ネットワーク装置、又はネットワーク装置内にあり且つプログラムを呼び出し該プログラムを実行可能な機能モジュールにより実行されてよい。
【００４７】
さらに、本発明の実施形態における態様又は特徴は、標準的なプログラミング及び／又はエンジニアリング技術を使用する方法、機器又はプロダクトとして実施されてよい。本願で使用される用語「プロダクト」は、任意のコンピュータ可読コンポーネント、キャリア、又は媒体からアクセス可能なコンピュータプログラムを包含する。例えば、コンピュータ可読媒体は、限定ではないが、磁気記憶コンポーネント（例えば、ハードディスク、フロッピーディスク、又は磁気テープ）、光ディスク（例えば、コンパクトディスク（Compact  Disk,  CD）、デジタルバーサタイルディスク（Digital  Versatile  Disk,  DVD））、スマートカード及びフラッシュメモリコンポーネント（例えば、消去可能プログラマブル読み出し専用メモリ（Erasable  Programmable  Read-Only  Memory,  EPROM）、カード、スティック、又はキードライブ）を含んでよい。さらに、本願明細書に記載の種々の記憶媒体は、情報を格納するために使用される１又は複数の装置及び／又は他の機械可読媒体を示し得る。用語「機械可読媒体」は、限定ではないが、無線チャネル、及び命令及び／又はデータを格納し、含み、及び／又は運ぶことが可能な種々の他の媒体を含み得る。
【００４８】
従来、セル間干渉を解決する技術は周波数間ネットワーキングである。周波数間ネットワーキングでは、異なる周波数が近隣セルで使用される。この方法では、サービングセルは同一チャネル干渉を近隣セルから受ける。図２Ａに示すように、各６角形は、基地局のカバレッジエリア全体を表す。基地局のカバレッジエリアは、３個のセクタを含み、各セクタはセルに対応し、システムの合計周波数帯域は３個の部分に分割され、それぞれｆ１、ｆ２、及びｆ３により示される。各セルは任意の周波数帯域を使用し、近隣セルは異なる周波数帯域を使用する。図２Ａの基地局１が一例として使用される。基地局１に対応する３個のセルは、それぞれセル１、セル２、及びセル３である。セル１は周波数帯域ｆ１を使用し、セル２は周波数帯域ｆ２を使用し、セル３は周波数帯域ｆ３を使用する。基地局１に対応するセル１の近隣セルは、基地局２に対応するセル２及びセル３、及び基地局３に対応するセル２である。基地局２に対応するセル２は周波数帯域ｆ２を使用し、基地局２に対応するセル３は周波数帯域ｆ３を使用し、基地局３に対応するセル２は周波数帯域ｆ２を使用する。基地局１に対応するセル３の近隣セルは、基地局３に対応するセル２であり、基地局３に対応するセル２は周波数帯域ｆ２を使用する。このように、近隣セル間の周波数帯域は効果的にずらされる。外輪にあるセルが同じ周波数帯域を使用する場合でも、サービングセルは長い距離のために深刻な影響を受けなくてよい。該方法によると、セル間干渉は効果的に低減できるが、マルチキャリアサービスはサポートされない。
【００４９】
周波数内ネットワーキング方法では、セル間干渉を解決する技術はＩＣＩＣ技術である。既存のＩＣＩＣ技術では、セル間干渉を低減するために、同じキャリア内で、異なるセルにより使用される同じキャリアに対応する周波数帯域が、エッジ周波数帯域及び中心周波数帯域に分割される。さらに、異なるセル内のユーザは、エッジユーザ及び中心ユーザに分類される。異なる種類のユーザは異なる周波数帯域割り当て方式を使用する。
【００５０】
周波数帯域割り当て方式は図２Ｂに示される。各６角形はセクタを表す。基地局のカバレッジエリアは、３個のセクタに対応する。各セクタはセルに対応し、３個のセルは同じ周波数帯域を使用する。セルの合計周波数帯域は、３個の部分に分割され、それぞれｆ１、ｆ２、及びｆ３により示される。異なるセルの各々は、異なる周波数帯域に対応する。周波数帯域ｆ１（つまり、エッジ周波数帯域）はセル１内のエッジユーザに割り当てられ、周波数帯域ｆ２及びｆ３（つまり、中心周波数帯域）はセル１内の中心ユーザに割り当てられる。周波数帯域ｆ２（つまり、エッジ周波数帯域）はセル２内のエッジユーザに割り当てられ、周波数帯域ｆ１及びｆ３（つまり、中心周波数帯域）はセル２内の中心ユーザに割り当てられる。周波数帯域ｆ３（つまり、エッジ周波数帯域）はセル３内のエッジユーザに割り当てられ、周波数帯域ｆ１及びｆ２（つまり、中心周波数帯域）はセル３内の中心ユーザに割り当てられる。このように、異なる周波数帯域は３個のセル内のエッジユーザに割り当てられる。
【００５１】
異なるセルのエッジ周波数帯域はずらされているので、データ伝送では、ネットワーク装置は、周波数ドメインリソースを異なるデータ片に送信のために適切に割り当て得る。その結果、異なるデータ片は異なる周波数ドメインリソースで送信される。このように、異なるセル間の干渉はサービスチャネルにおいて低減される。しかしながら、制御情報の周波数ドメインリソース送信のランダム性のために、ネットワーク装置は、異なる周波数ドメインリソースを制御情報に適切に割り当てることができない。その結果、異なるセルの制御情報は、同じ周波数ドメインリソースを同時に使用することがあり、制御チャネルの干渉が低減できず、セル端の伝送品質は大幅に低下し、セル端のユーザ経験は比較的粗悪である。
【００５２】
前述の問題を解決するために、本発明の一実施形態は、無線通信方法を更に提供する。本発明の本実施形態の方法は、Ｎ個のセルを含む通信システムにおいて実行され、Ｎ個のセルのうちの少なくとも２個のセルは、無線通信を同じキャリアセットを用いて実行でき、キャリアセットはＭ個のキャリアを含み、Ｍ個のキャリアはＮ個の時間周波数リソースグループに分割され、Ｎ個の時間周波数リソースグループの各々はＭ個の時間周波数リソースを含み、同じ時間周波数リソースグループの中のＭ個の時間周波数リソースはＭ個のキャリアと１対１対応にあり、任意の２個の時間周波数リソースグループの中で、同じキャリアに対応する時間周波数リソースの時間ドメイン位置は異なり、Ｎ≧２、且つＭ≧２である。
【００５３】
Ｎ個の時間周波数リソースグループはＮ個のセルに割り当てられ得る。その結果、Ｎ個のセルの各々は、該セルに対応する時間周波数リソースグループを使用してよい。つまり、１つのセルは１つの時間周波数リソースグループを使用してよく、異なるセルは異なる時間周波数リソースグループを使用してよい。具体的に、図３が一例として用いられる。Ｎ＝３且つＭ＝３、つまり、通信システムは、３個のセル：セル１、セル２、及びセル３を含み、１つのセクタは１つのセルに対応し、キャリアセットは３個のキャリア：Ｆ１、Ｆ２、及びＦ３を含む。３個のセルは、無線通信を実行するために３個のキャリアを使用できる。３個のキャリアは、３個の時間周波数リソースグループに分割される。各時間周波数リソースグループは、３個の時間周波数リソースを含み、各時間周波数リソースは１つのキャリアに対応する。各セルは、１つの時間周波数リソースグループに対応する。つまり、セル１は時間周波数リソースグループ１を使用して無線通信を実行し、セル２は時間周波数リソースグループ２を使用して無線通信を実行し、セル３は時間周波数リソースグループ３を使用して無線通信を実行する。さらに、任意の２個の時間周波数リソースグループの中で、同じキャリアに対応する時間周波数リソースの時間ドメイン位置は異なる。例えば、時間周波数リソースグループ１及び時間周波数リソースグループ２の中で、Ｆ１に対応する、時間周波数リソースグループ１の中の時間周波数リソース及び時間周波数リソースグループ２の中の時間周波数リソースは、時間ドメインにおいて完全にずらされている。
【００５４】
理解されるべきことに、本発明の本実施形態では、「Ｎ個の時間周波数リソースグループはＮ個のセルに割り当てられ得る。その結果、Ｎ個のセルの各々は、該セルに対応する時間周波数リソースグループを使用してよい。」は、システムの期待される実装である。セル内で無線通信を実行するとき、ネットワーク装置は、当然に、無線通信を各セルに割り当てられた時間周波数リソースグループで実行する。しかし、別の時間周波数リソースグループにおけるセル内で送信を実行する場合が含まれる。
【００５５】
例えば、比較的多数のユーザ又は比較的多数のサービス量があり、実際に送信されるサービス量のために使用される時間周波数リソースが各セルに割り当てられた時間周波数リソースを超えるとき、セルは、無線通信を実行するために予め割り当てられた時間周波数リソースグループを用いるとき、無線通信を実行するために、別の時間周波数リソースグループを更に使用してよい。この場合、異なるセルは、同じ時間周波数リソースを使用し、従って干渉が存在する。しかしながら、全体として、異なるセルの大部分のサービス量は、異なる時間周波数リソースに集中している。従来と比べて、周波数内セル間の制御チャネルの干渉は効果的に低減できる。
【００５６】
したがって、Ｎ個の時間周波数リソースグループのうちの任意の２個の中にある、同じキャリアに対応する時間周波数リソースの時間ドメインは異なる。これは、周波数内セル間干渉を効果的に低減できる。つまり、ネットワーク装置は、異なるセル内で無線通信を実行するために、異なる時間周波数リソースを使用できる。同じキャリアに対応する時間周波数リソースの時間ドメイン位置は異なるので、周波数内セル間干渉が効果的に低減できる。従来と比べて、周波数内セル間の制御チャネルの干渉は一層効果的に低減できる。
【００５７】
理解されるべきことに、Ｎの値、及びＭの値は、単に説明のための例として使用される。本発明の本実施形態はこれに限定されない。
【００５８】
さらに、Ｎ個のセルは、同じネットワーク装置に対応してよく、又は複数のネットワーク装置に対応してよい。本発明の本実施形態はこれに限定されない。例えば、第１ネットワーク装置は無線通信をセル１内で実行し、第２ネットワーク装置は無線通信をセル２内で実行する。セル１及びセル２は、近隣セルであってよく、又は近隣セルでなくてよい。
【００５９】
更に理解されるべきことに、「Ｍ個のキャリアはＮ個の時間周波数リソースグループに分割される」は、以下：Ｍ個のキャリアに基づき、システム時間周波数リソースがＮ個の時間周波数リソースグループに分割されると理解されてよい。
【００６０】
留意すべきことに、「任意の２個の時間周波数リソースグループの中で、同じキャリアに対応する時間周波数リソースの時間ドメイン位置は異なる」は、システム時間周波数リソースがＮ個の時間周波数リソースグループに分割されるとき、及びＮが２であるとき、同じキャリアに対応する時間周波数リソースの時間ドメイン位置が明確に異なること、及びＮ≧３のとき、同じキャリアに対応する全部の時間周波数リソースの時間ドメイン位置が異なることを示す。例えば、図３に示すように、Ｆ１に対応する３個の時間周波数リソースの時間ドメイン位置は異なる。
【００６１】
特に留意すべきことに、本発明の本実施形態において、論理的に、１つのセルは１つのセクタに対応する。つまり、図３は、３個のセル及び３個のセクタを示す。幾つかの場合には、論理的に、１つのセルは１つのキャリアに対応する。つまり、図３は、９個のセル及び３個のセクタを示す。したがって、図３に示される「１つのセクタは１つのセルに対応する」の記載は、本発明の本実施形態に限定を課さない。ネットワーク装置のカバレッジエリアが３個のセクタを含み、１つのセルが１つのキャリアに対応するとき、本発明の本実施形態の用語「セル」は用語「セクタ」と置き換えられてよい。
【００６２】
任意で、ネットワーク装置は、Ｍ個のキャリアを分割して、Ｎ個の時間周波数リソースグループを決定する。
【００６３】
具体的に、Ｍ個のキャリアを分割するとき、ネットワーク装置は、Ｍ個のキャリアの中の各キャリアに対応する異なるセルの不連続受信（Discontinuous  Reception,  DRX）起動期間の開始位置を決定する必要がある。ＤＲＸ起動期間は、ネットワーク装置が無線通信を実行できる対応する時間ドメインとして理解され得る。つまり、ネットワーク装置は、無線通信を、異なるキャリアに対応する、異なるセル内で使用され得るＤＲＸ起動期間中に実行してよい。
【００６４】
同じキャリアについて、ＤＲＸ起動期間の開始位置の連続する任意の２個のセルで、一方のセルのＤＲＸ起動期間の開始位置は、他方のセルのＤＲＸ起動期間の終了位置である。したがって、任意のセルのＤＲＸ起動期間の開始位置及び終了位置は、一意に決定される。したがって、各セル内の各キャリアに対応する時間周波数リソースは、各セルに対応する時間周波数リソースグループを決定するために、Ｍ個のキャリア及びＭ個のキャリアの中の各キャリアに対応する不連続受信ＤＲＸ起動期間の開始位置に従い決定されてよい。
【００６５】
例えば、３個のセルのＤＲＸ期間は全部で１６０ｍｓであり、ＤＲＸ期間は３個の期間に分割されると仮定する。異なるセルの、図３のＦ１に対応する時間周波数リソースが、一例として使用される。セル１のＤＲＸ起動期間は５０ｍｓ〜１００ｍｓであり、セル２のＤＲＸ起動期間は０ｍｓ〜５０ｍｓであり、セル３のＤＲＸ起動期間は１００ｍｓ〜１６０ｍｓである。したがって、セル１のＤＲＸ起動期間の開始位置は５０であり、セル２のＤＲＸ起動期間の開始位置は０であり、セル３のＤＲＸ起動期間の開始位置は１００ｍｓである。あるセルのＤＲＸ起動期間の開始位置は、別のセルのＤＲＸ起動期間の終了位置であるので、各セルのＤＲＸ起動期間、つまり無線通信で使用可能な時間ドメインは、一意に決定できる。
【００６６】
一例として、限定ではなく、各キャリアに対応するセルのＤＲＸ起動期間の開始位置は、別のセルのＤＲＸ起動期間の終了位置でなくてよい。つまり、時間ドメインにおいて、異なるセルの、各キャリアに対応するＤＲＸ起動期間の間に間隔が存在する。
【００６７】
一例として、限定ではなく、Ｍ個のキャリアを分割するエンティティは、ネットワーク装置に限定されない。
【００６８】
例えば、管理者はＭ個のキャリアを分割し、次に分割したＮ個の時間周波数リソースグループに関する情報をネットワーク装置に入力してよい。
【００６９】
別の例では、コアネットワーク装置は、Ｍ個のキャリアを分割し、次に、分割したＮ個の時間周波数リソースグループに関する情報をネットワーク装置へ送信するために、Ｎ個の時間周波数リソースグループを決定してよい。
【００７０】
Ｎ個の時間周波数リソースグループのための特定の分割方法は、以下に詳細に説明される。
【００７１】
任意で、ネットワーク装置が、Ｍ個のキャリアを分割して、Ｎ個の時間周波数リソースグループを決定することは、
ネットワーク装置が、Ｍ個のキャリアを物理セル識別子ＰＣＩに従い分割して、Ｎ個の時間周波数リソースグループを決定することを含む。
【００７２】
一例として、限定ではなく、ネットワーク装置は、Ｍ個のキャリアを他の情報に従い分割してよい。該情報はＰＣＩに対応する。例えば、ネットワーク装置は、Ｍ個のキャリアを各セルの方位角情報に従い分割してよく、方位角に対する丸め込み演算を実行することにより取得された結果は、ＰＣＩに対するモジュロ３演算を実行することにより取得された結果に対応する。
【００７３】
理解されるべきことに、Ｎ個の時間周波数リソースグループを分割するとき、ネットワーク装置は、Ｎ個の時間周波数リソースグループを決定するために、異なるセルの、Ｍ個のキャリアの中の各キャリアに対応するＤＲＸ起動期間の開始位置を時間ドメインで決定する必要がある。したがって、異なるセルの、Ｍ個のキャリアの中の各キャリアに対応するＤＲＸ起動期間の開始位置を決定することは、以下に詳細に説明される。
【００７４】
各セルのＤＲＸ起動期間の開始位置は、計算により、ネットワーク装置によりＤＲＸ期間及びセル固有情報（例えば、セルの配置されるセクタ、セルにより使用されるキャリア、及びセルのＰＣＩ）に従い取得されてよい。同様に、図３では、３個のセルの、Ｆ１に対応するＤＲＸ起動期間の開始位置を決定する処理は、本発明の本実施形態を説明するための一例として使用される。
【００７５】
特定の式は、Ａ＝（ＰＣＩ  ｍｏｄ  ３）×１０×ｍａｘ（ｆｌｏｏｒ（Ｔ／３０），１）である。ここで、Ａはセルの起動期間の開始位置を表し、ＰＣＩはここでは物理セル識別子に対応する値を表すために使用され、ＰＣＩ  ｍｏｄ  ３はモジュロ３演算をセルのＰＣＩに対応する値に対して実行することにより取得された結果を表し、ＴはセルのＤＲＸ期間を表し、ｆｌｏｏｒ（Ｔ／３０）は括弧内の値に対して実行される丸め込み演算を表す。表１は、３個のセルのＰＣＩに対してモジュロ演算を実行することにより取得された計算結果を列挙する。
［表１］
【表１】
0006861832.tif 000002
【００７６】
以上から、別のパラメータが変更されないとき、異なるセルの、各セルに対応するＤＲＸ起動期間の開始位置、及びモジュロ演算をセルのＰＣＩに対して実行することにより取得された結果は、１対１対応にあることが分かる。つまり、同じキャリアについて、モジュロ３演算を各セルのＰＣＩに対して実行することにより取得された結果に従い、各セルのＤＲＸ起動期間の開始位置は、一意に決定されてよい。一例として、限定ではなく、モジュロ演算は、各セルのＰＣＩに対応する値に対して、１より大きい任意の整数により実行されてよい。
【００７７】
理解されるべきことに、３個のセルの、Ｆ２及びＦ３に対応するＤＲＸ起動期間の開始位置を決定する処理及び方法は、３個のセルの、Ｆ１に対応するＤＲＸ起動期間の開始位置を決定する処理及び方法と同じである。ここで、繰り返しを避けるために、その詳細な説明は再び与えられない。
【００７８】
したがって、異なるセルの、各キャリアに対応するＤＲＸ起動期間の開始位置が決定された後に、異なるセルの、各キャリアに対応する時間周波数リソースが決定される。その結果、全てのキャリアに対応する、１つのセルにより使用可能な時間周波数リソースが、時間周波数リソースグループとして決定され、Ｎ個のセルはＮ個の時間周波数リソースグループに対応する。
【００７９】
留意すべきことに、各時間周波数リソースグループは、システム時間周波数リソースの中の指定量のリソースパーティクルを含んでよい。リソースパーティクルは、時間周波数リソースの最小分割単位であってよい。例えば、リソースパーティクルは、リソースエレメント（Resource  Element,  RE）に対応してよい。
【００８０】
更に留意すべきことに、分割後に取得された時間周波数リソースのサイズ（例えば、ＲＥの数を含む）は、同じであってよく又は異なってよく、各キャリアに対応する周波数帯域に従い決定される。
【００８１】
本発明の本実施形態では、システム時間周波数リソース上の、Ｎ個の時間周波数リソースグループの各々の位置は、システム又は通信プロトコルにより指定されてよい。この場合、ネットワーク装置及び端末装置は、所要時間周波数リソースグループの位置を直接決定してよい（つまり、シグナリングが送信される必要がない）。
【００８２】
代替として、本発明の本実施形態では、システム時間周波数リソース上の、Ｎ個の時間周波数リソースグループの各々の位置は、ネットワーク装置により決定され、端末装置へシグナリングを用いて送信されてよい。
【００８３】
したがって、端末装置は、前述の方法で、端末装置により受信され又は送信される必要のあるデータのための時間周波数リソースの位置を決定してよい。
【００８４】
したがって、ネットワーク装置が無線通信を実行するとき、方法１００は以下のステップを含む。
【００８５】
Ｓ１１０。Ｎ個のセルのうちの第１セルを提供するよう構成されるネットワーク装置は、Ｎ個の時間周波数リソースグループから第１時間周波数リソースグループを決定する。
【００８６】
Ｓ１２０。ネットワーク装置は、無線通信を第１セル内で、第１時間周波数リソースグループの中の一部又は全部の時間周波数リソースを用いて実行する。
【００８７】
理解されるべきことに、以下に記載する実施形態では、「第１」及び「第２」は単に異なるオブジェクトを区別すること、例えば異なるセルを区別することを意図しており、本発明の本実施形態の保護範囲に限定を課さない。
【００８８】
具体的に、無線通信を端末装置とセル１内で実行するとき（つまり、第１セルの例）、ネットワーク装置は、先ず、無線通信を実行するために使用可能な時間周波数リソースグループ１を決定し（つまり、第１時間周波数リソースグループの例）、次に、無線通信を時間周波数リソースグループ１の中の一部又は全部の時間周波数リソースで実行する。
【００８９】
幾つかの時間周波数リソースは３つのケースを有し得る。
【００９０】
ケース１。
【００９１】
幾つかの時間周波数リソースは、時間周波数リソースグループ１の中のＭ個の時間周波数リソースの中の各時間周波数リソースの幾つかの時間周波数リソースであってよい。
【００９２】
例えば、時間周波数リソースグループ１は４個の時間周波数リソースを含む。４個の時間周波数リソースのうちの各時間周波数リソースに含まれる最小リソースパーティクルがＲＥであり、全ての時間周波数リソースに含まれるＲＥの数が同じであり且つ８４であると仮定する場合、各時間周波数リソースの中の幾つかの時間周波数リソースのＲＥの数は８４より少ない。
【００９３】
ケース２。
【００９４】
幾つかの時間周波数リソースは、時間周波数リソースグループ１の中のＱ個の時間周波数リソースであってよく、Ｑ＜Ｍである。
【００９５】
例えば、時間周波数リソースグループ１は、４個の時間周波数リソースを含み、幾つかの時間周波数リソースは、４個の時間周波数リソースの中の１、２、又は３個の時間周波数リソースである。
【００９６】
ケース３。
【００９７】
幾つかの時間周波数リソースは、時間周波数リソースグループ１の中のＱ個の時間周波数リソースの中の各時間周波数リソースの幾つかの時間周波数リソースであってよく、Ｑ＜Ｍである。
【００９８】
例えば、時間周波数リソースグループ１は４個の時間周波数リソースを含む。４個の時間周波数リソースのうちの各時間周波数リソースに含まれる最小リソースパーティクルがＲＥであり、全ての時間周波数リソースに含まれるＲＥの数が同じであり且つ８４であると仮定する場合、幾つかの時間周波数リソースは、時間周波数リソースグループ１の中の１、２、又は３個の時間周波数リソースであってよく、各時間周波数リソースの中のＲＥの数は８４より少ない。
【００９９】
ネットワーク装置により無線通信を実行するために使用される各時間周波数リソースグループの中の時間周波数リソースのサイズは、適切なリソーススケジューリングを実行するために、ネットワーク装置と端末装置との間で送信されるデータ若しくは参照信号のサイズ又は両者に従い決定されてよい。
【０１００】
したがって、本発明の本実施形態で提供される無線通信方法によると、Ｎ個の時間周波数リソースグループがＭ個のキャリアを分割することにより取得され、Ｎ個の時間周波数リソースグループのうちの任意の２個の中で、同じキャリアに対応する時間周波数リソースの時間ドメイン位置は異なる。その結果、周波数内セル間干渉は効果的に低減できる。つまり、ネットワーク装置は、異なる時間周波数リソースを用いて、異なるセル内で無線通信を実行できる。同じキャリアに対応する時間周波数リソースの時間ドメイン位置は異なるので、周波数内セル間干渉が効果的に低減できる。従来と比べて、周波数内セル間の制御チャネルの干渉は一層効果的に低減できる。
【０１０１】
別の態様によると、ネットワーク装置は、複数のキャリアを同時に使用して、セル内で通信を実行し得るので、キャリアアグリゲーション（Carrier  Aggregation,  CA）のようなマルチキャリアサービスが効果的にサポートできる。
【０１０２】
一例として、限定ではなく、本発明の本実施形態は、端末装置により送信される必要のあるデータ若しくは参照信号又は両者の期間がキャリア上でずらされることができるならば、マルチキャリアのシナリオだけでなく、シングルキャリアアプリケーションのシナリオにも適用されてよい。
【０１０３】
任意で、同じ時間周波数リソースグループの中のＭ個の時間周波数リソースの時間ドメインは異なる。
【０１０４】
同じ時間周波数リソースグループの中のＭ個の時間周波数リソースの時間ドメイン位置をどのようにずらすかについて、特定の式は次の通りである：Ｂ＝（（ＰＣＩ＋Ｃａｒｒｉｅｒ  Ｏｆｆｓｅｔ）  ｍｏｄ  ３）×１０×（ｆｌｏｏｒ（Ｔ／３０））。ここで、Ｂはセルの起動期間の開始位置を表し、ＰＣＩは物理セル識別子に対応する値を表すために使用されてよく、Ｃａｒｒｉｅｒ  Ｏｆｆｓｅｔはキャリアオフセットに対応する値として理解されてよく、（ＰＣＩ＋Ｃａｒｒｉｅｒ  Ｏｆｆｓｅｔ）  ｍｏｄ  ３はセルのＰＣＩ及びＣａｒｒｉｅｒ  Ｏｆｆｓｅｔに対応する値の和に対してモジュロ３演算を実行することにより取得された結果を表し、ＴはセルのＤＲＸ期間を表し、ｆｌｏｏｒ（Ｔ／３０）は括弧内の値に対して実行される丸め込み演算を表す。３個のキャリア及び３個のセルが一例として使用され、表２は、３個のセルのＰＣＩに対応する値及び３個のセルのキャリア識別子に対応する値の和にモジュロ演算を実行することにより取得された計算結果を列挙する。図４は、前述の計算結果の概略図を示す。
［表２］
【表２】
0006861832.tif 000003
【０１０５】
表２のＣは（ＰＣＩ＋Ｃａｒｒｉｅｒ  Ｏｆｆｓｅｔ）  ｍｏｄ  ３の結果を表す。
【０１０６】
表１を描くために使用した式と、表２を描くために使用した式との間の相違は、モジュロ演算が値に対して実行されるとき、キャリアオフセットの因子が考慮されること、及び目的が同じセル内の時間周波数リソースを時間ドメインにおいてずらすことであることにある。以上から、別のパラメータが変更されないとき、異なるキャリアに対応する、異なるセルで使用されるＤＲＸ起動期間の開始位置は、モジュロ演算をセルのキャリアオフセットの値とセルのＰＣＩの値との和に対して実行することにより取得された結果と１対１対応にあることが分かる。つまり、各セルのＤＲＸ起動期間の開始位置は、モジュロ３演算を各セルのＰＣＩの値とキャリアオフセットの値との和に対して実行することにより取得された結果に従い一意に決定されてよい。さらに、同じセルの時間周波数リソースは時間ドメインにおいて効果的にずらされる。一例として、限定ではなく、モジュロ演算は、各セルのＰＣＩに対応する値に対して、１より大きい任意の整数により実行されてよい。
【０１０７】
したがって、本発明の本実施形態で提供される無線通信方法によると、同じ時間周波数リソースグループの中のＭ個の時間周波数リソースの時間ドメイン位置は異なる。その結果、ネットワーク装置が無線通信を同じセル内で実行するとき、キャリア間の干渉は効果的に低減でき、同じセル内の異なるキャリア間の電力共有が効果的にサポートできる。
【０１０８】
任意で、ネットワーク装置が、無線通信をセル内で、第１時間周波数リソースグループの中の一部又は全部の時間周波数リソースを用いて実行することは、
ネットワーク装置が、第１送信電力を決定することであって、第１送信電力は、第１セルにより、無線通信をＭ個のキャリアで第１期間に実行するために使用可能な合計送信電力であり、第１期間は、第１時間周波数リソースグループの中の一部又は全部の時間周波数リソースのｉ番目の時間周波数リソースに対応する期間であり、ｉ∈［１，Ｐ］、且つＰ≦Ｍである、ことと、
ネットワーク装置が、第２送信電力が第１送信電力以下になるように、第２送信電力を第１送信電力に従い決定することと、
ネットワーク装置が、無線通信をｉ番目の時間周波数リソースで第２送信電力を用いて実行することと、を含む。
【０１０９】
ｉ番目の時間周波数リソースは、時間周波数リソースグループ１の中の一部又は全部の時間周波数リソースの中の任意の時間周波数リソースを示す。ｉ∈［１，Ｐ］は、時間周波数リソースグループ１の中の一部又は全部の時間周波数リソースがトラバースされることを示す。「ｉ番目の時間周波数リソース＋ｉ∈［１，Ｐ］」は、時間周波数リソースグループ１の中の一部又は全部の時間周波数リソースを示す。
【０１１０】
Ｐ＝Ｍのとき、これは、セル１が無線通信を期間１で（つまり、第１期間の例）全部のキャリア（つまり、Ｍ個のキャリア）を用いて実行することを示す。Ｐ＜Ｍのとき、これは、セル１が無線通信を期間１で一部のキャリアを用いて実行することを示す。
【０１１１】
セル１では、時間周波数リソースグループ１の中の時間周波数リソースの時間ドメイン位置が異なるので、その結果、ネットワーク装置が無線通信を実行するとき、同じ期間内で異なるキャリア間で電力共有を動的に実施するために、同じ期間内の異なるキャリアのために必要な送信電力が異なる。「異なるキャリア間の電力共有」は、異なるキャリアにより使用される電力が要件に従い動的に調整され得ることを示す。
【０１１２】
同じ期間内の異なるキャリア間の電力共有を実施する特定の実施プロセスは、以下で詳細に記載される。
【０１１３】
留意すべきことに、以上で言及したように、比較的多数のユーザ又は比較的大量のサービス量の要因により、実際に送信されるサービス量のために使用される時間周波数リソースは、ネットワーク装置により各セルに予め割り当てられた時間周波数リソースを超える。無線通信を時間周波数リソースグループ１の中の時間周波数リソースを用いて実行するとき、ネットワーク装置は、無線通信を別の時間周波数リソースで更に実行してよい。
【０１１４】
例えば、図５に示す時間周波数リソースの概略図で、ＤＲＸ期間が１６０ｍｓであると仮定する。セル１では、時間周波数リソースグループ１は３個の時間周波数リソースを含む。Ｆ３に対応する時間周波数リソースが一例として使用され、Ｆ３に対応する時間周波数リソースの時間ドメインは、Ｆ３に対応するＤＲＸ起動期間であり、期間１として示される。期間１及びＦ３を含む時間周波数リソースは、時間周波数リソースグループ１に属する。期間１及びＦ２を含む時間周波数リソース、及び期間１及びＦ１を含む時間周波数リソースは、前述の他の時間周波数リソースであり、時間周波数リソースグループ１に属さない。
【０１１５】
第１送信電力は、ネットワーク装置により第１期間のために構成された定格送信電力として理解されてよく、第２送信電力は、ネットワーク装置によりｉ番目の時間周波数リソースでの送信のために必要な実際の送信電力、つまり目標送信電力として理解されてよい。
【０１１６】
具体的に、定格送信電力１（つまり、定格送信電力の例）は、固定値であり、システムによりセル１のために期間１（つまり、第１期間の例）において直接構成されてよい。ネットワーク装置は、期間１の中のセル１の負荷状態をリアルタイムに監視する。セル１の異なるキャリア上の期間１における電力について、ネットワーク装置は、過去の送信負荷に従い、つまり期間１に対応する、最後のＤＲＸ期間内の期間における送信負荷に従い、期間１において異なるキャリアに電力を動的に割り当てる。時間周波数リソースグループ１に属するｉ番目の時間周波数リソースの電力は、目標送信電力１（つまり、目標送信電力の例）である。したがって、ネットワーク装置は、無線通信を、期間１において異なるキャリアの電力に従い実行する。
【０１１７】
時間周波数リソースグループ１の中のｉ番目の時間周波数リソースはネットワーク装置により予め構成されるので、ネットワーク装置が通信を実行するとき、ｉ番目の時間周波数リソースは、大部分又は全部のデータ及び／又は参照信号を確かに送信する。ｉ番目の時間周波数リソースと比べて、僅かなデータ若しくは少ない参照信号、又は両者が、別の時間周波数リソースで送信される。したがって、定格電力１が使用のために割り当てられるとき、目標送信電力１が定格送信電力１以下であるならば、ｉ番目の時間周波数リソースの電力要件が先ず満たされる。
【０１１８】
例えば、図５の１００ｍｓ〜１６０ｍｓの期間内でセル１の送信処理が一例として使用される。最後のＤＲＸ期間の中の１００ｍｓ〜１６０ｍｓは、期間１に対応する期間であり（理解及び記憶を容易にするために、期間は期間２として示される）、現在ＤＲＸ期間内の１００ｍｓ〜１６０ｍｓは期間１である。ネットワーク装置により、セル１の全部のＤＲＸ期間の中の１００ｍｓ〜１６０ｍｓ間に全部のキャリアに固定的に割り当てられた定格電力１は、ｑＷである。期間２では、ネットワーク装置のＦ１における送信負荷に対応する電力は、ａＷである（実際には、Ｆ１に割り当てられた電力はａＷ以上である）。Ｆ２上の送信負荷に対応する電力は、ｂＷである（実際には、Ｆ２に割り当てられた電力はｂＷ以上である）。Ｆ３上の送信負荷に対応する電力は、ｃＷである（実際には、Ｆ３に割り当てられた電力は、ｃＷ以上である）。ｑ≧ａ＋ｂ＋ｃである。Ｆ１に対応する時間周波数リソースは、時間周波数リソースグループ１に属する。つまり、Ｆ１に対応する時間周波数リソースは大部分の又は全部のデータ及び／又は参照信号を送信し、ａ＞ｂ、且つａ＞ｃである。したがって、現在ＤＲＸ期間の期間１における、定格電力１及び過去の送信負荷に従い、ネットワーク装置によりＦ１に割り当てられた電力はａＷ（つまり、目標送信電力１）であり、Ｆ２に割り当てられた電力はｂＷであり、Ｆ３に割り当てられた電力はｃＷである。このように、ネットワーク装置は、定格電力１及び過去の送信負荷に従い、期間１内の異なるキャリアに電力を動的に割り当て、それにより、同じセル内の異なるキャリア間の電力共有を実施する。
【０１１９】
したがって、本発明の本実施形態で提供される無線通信方法によると、無線通信を実行するために使用される時間周波数リソースの送信電力は、第１送信電力に従い動的に割り当てられ、それにより、同じセル内の異なるキャリア間の電力共有を効果的に実施する。
【０１２０】
一例として、限定ではなく、同じ期間内の異なるキャリア間の電力共有を実施する特定の実施処理は、単に説明のための一例として使用される。同じ期間内の異なるキャリアの電力を動的に調整する任意の方法は、本発明の実施形態の保護範囲に含まれる。
【０１２１】
任意で、方法は、
ネットワーク装置により、第２時間周波数リソースグループをＮ個の時間周波数リソースグループから決定するステップであって、第２時間周波数リソースグループは、ネットワーク装置により、無線通信をＮ個のセルのうちの第２セル内で実行するために使用される時間周波数リソースグループである、ステップと、
ネットワーク装置により、第１セル内で、第１セルのセル固有参照信号ＣＲＳを第２時間周波数リソースグループの中の一部又は全部の時間周波数リソースで送信することを禁止するステップと、を更に含む。
【０１２２】
具体的に、以上に記載したように、セル１で、無線通信を時間周波数リソースグループ１の中の時間周波数リソースを用いて実行するとき、ネットワーク装置は、無線通信を別の時間周波数リソースで更に実行してよい。ここで、他の時間周波数リソースグループの中の時間周波数リソースグループ２（つまり、第２時間周波数リソースグループの例）が一例として使用される。つまり、セル１内で、ネットワーク装置は、時間周波数リソースグループ１及び時間周波数リソースグループ２を用いて無線通信を実行してよい。時間周波数リソースグループ２は、無線通信のために使用可能な、ネットワーク装置によりセル２（つまり、第２セルの例）のために構成された時間周波数リソースグループなので、セル２は、無線通信を実行するために時間周波数リソースグループ２を確かに使用する。
【０１２３】
この場合、セル１及びセル２が近隣セルであるとき、時間周波数リソースグループ２はセル１及びセル２により同時に使用されるので、セル１及びセル２の間で干渉が生成される。したがって、セル１内で時間周波数リソースグループ２を用いて僅かしか又は全くデータが送信されないとき、セル１のＣＲＳを時間周波数リソースグループ２の中の時間周波数リソースで送信することが禁止される。この場合、セル１のＣＲＳからの近隣セル（つまり、セル２）への干渉は、効果的に低減できる。
【０１２４】
例として、限定ではなく、セル１内で、セル１のＣＲＳを時間周波数リソースグループ２の中の時間周波数リソースで送信することが禁止されてよく、セル１内の全部の端末装置が、時間周波数リソースグループ２内の期間１以外の任意の時間周波数リソースに対応する期間中に非接続状態であるとき、セル１内で全ての公衆信号を送信することが禁止されてよい。このように、セル２への干渉が効果的に低減でき、システムの電力消費は効果的に低減できる。
【０１２５】
さらに、セル１について、時間周波数リソースグループ２は単に他の時間周波数リソースグループの中の時間周波数リソースグループであり、時間周波数リソースグループ１以外の複数の時間周波数リソースグループが更に含まれてよい。本発明の本実施形態はこれに限定されない。
【０１２６】
したがって、本発明の本実施形態で提供される無線通信方法によると、ネットワーク装置は、セル１内で、時間周波数リソースグループ２内の時間周波数リソースでＣＲＳを送信することを禁止する。その結果、周波数間近隣セルに対する干渉が効果的に低減できる。
【０１２７】
本発明の本実施形態では、セル内で、該セルに対応する時間周波数リソースグループの中の時間周波数リソース以外の時間周波数リソースでＣＲＳを送信することを禁止する可能性を向上するために、セル内の送信負荷が第１閾を超えると、ネットワーク装置は、セル内のデータ及び／又は参照信号を送信のための限られた期間数に集中させてよい。つまり前述のケース２及びケース３である。前述のケース２及びケース３で前述したように、幾つかの時間周波数リソースでより良好に無線通信を実行するために、本発明の本実施形態では、方法は、変更マルチキャリアキャンピングポリシ（理解及び記憶を容易にするために、異なるマルチキャリアキャンピングポリシとして示される）を用いて実施されてよい。
【０１２８】
さらに、ＤＲＸ起動期間が期待値であるので、実際の方法の実施処理において、セルがキャリアにキャンプする時間は、ＤＲＸ起動期間に対応する時間より多くてよく、干渉は同じキャリア上の別のセルの通信に対して生じる。例えば、セル１及びセル２が一例として用いられる。Ｆ１上のセル１のＤＲＸ起動期間が０ｍｓ〜５０ｍｓであり、Ｆ２上のセル２のＤＲＸ起動期間が５０ｍｓ〜１００ｍｓである場合、実際の方法の実施では、Ｆ１上のセル１の通信時間は０ｍｓ〜６０ｍｓであり、Ｆ１上のセル２の通信時間は５０ｍｓ〜１００ｍｓである。この場合、セル１とセル２との間に、Ｆ１上で５０ｍｓ〜６０ｍｓの間に干渉がある。
【０１２９】
したがって、セル内で、該セルに対応する時間周波数リソースグループの中の時間周波数リソース以外の時間周波数リソースでのＣＲＳの送信を禁止する可能性を向上するために、及び２個のセル間の干渉を可能な限り低減するために、マルチキャリアキャンピングポリシが変更されるとき、異なるセルのキャンプされるキャリアは異なるキャリアであるべきである。結果は、表３、表４、及び表５に列挙される。
【０１３０】
同様に、１つのネットワーク装置が３個のセルに対応し、各セルが通信を実行するために３個のキャリアを使用し得ることが、差別化マルチキャリアキャンピングポリシを変更する方法を説明するために一例として使用される。
【０１３１】
表３、表４、及び表５は、それぞれ、３つの変更方法を用いて取得された差別化マルチキャリアキャンピングポリシを示す。表３は変更方法１に対応し、表４は変更方法２に対応し、表５は変更方法５に対応する。
［表３］
【表３】
0006861832.tif 000004
［表４］
【表４】
0006861832.tif 000005
［表５］
【表５】
0006861832.tif 000006
【０１３２】
表３、表４、及び表５の「高優先度キャンピング」は、異なるセルで通信を実行するとき、ネットワーク装置が、通信を実行するために高優先度キャンピングに対応するキャリアを好んで選択することを示す。
【０１３３】
特定の方法の実施では、ネットワーク装置は、先ず、同じセル内のマルチレイヤキャリアを識別し、次に、セル内の合計負荷に従い、差別化マルチキャリアキャンピングポリシを有効にするか否かを決定する必要がある。セル内の合計負荷が第１閾より小さいとき、差別化マルチキャリアキャンピングポリシが有効にされる。差別化マルチキャリアキャンピングポリシが有効になると、ネットワーク装置は、関連情報を用いて、端末装置に、ネットワーク装置との通信を実行するために望ましくはキャンプされるキャリアを選択するよう通知する。或いは、セル内の合計負荷が第１閾より大きいとき、システムはマルチキャリアキャンピングポリシを終了する。
【０１３４】
第１閾は、システムによりプリセットされた値であってよく、又は過去の負荷に従いネットワーク装置により決定された動的に変化する値であってよい。本発明の本実施形態はこれに限定されない。
【０１３５】
理解されるべきことに、ネットワーク装置は、差別化マルチキャリアキャンピングポリシを有効にするとき、異なるキャリア上のセルのＤＲＸ起動期間は変化しない。例えば、表３のセル１は、Ｆ１上の高優先度キャンピングであり、キャンピング時間は依然としてＤＲＸ起動期間に対応する時間である。
【０１３６】
したがって、マルチキャリアキャンピングポリシが変更され、その結果、ネットワーク装置が無線通信を実行するとき、システム柔軟性が効果的に向上される。
【０１３７】
ネットワーク装置が、セル１内で、時間周波数リソースグループ２の中の時間周波数リソースでのセル１のＣＲＳの送信を禁止するとき、ネットワーク装置は第１データを取得し、第１データは、第２セル内で、第２時間周波数リソースグループの中の一部又は全部の時間周波数リソースを用いて送信されるべきデータである。
【０１３８】
ネットワーク装置は、第１セル内で、第１データを、第２時間周波数リソースグループの中の一部又は全部の時間周波数リソースを用いて送信する。
【０１３９】
従来、セル間の共同送信は、データ及び／又は参照信号を共同で送信するセル間のＣＲＳ位置整合を必要とし、物理ダウンリンク制御チャネル（Physical  Downlink  Control  Channel,  PDCCH）の最大シンボル数が占有される。本発明の本実施形態では、異なるセル内のＣＲＳ位置は揃えられる（セル１の大部分の又は全部のＣＲＳは、時間周波数リソースグループ１で伝達され、セル２の大部分の又は全部のＣＲＳは、時間周波数リソースグループ２で伝達される）。したがって、共同送信は、異なるセル内で実行できない。
【０１４０】
具体的に、セル１では、時間周波数リソースグループ２の中の時間周波数リソースでＣＲＳを送信することが禁止された後に、時間周波数リソースグループ２の中の、ＣＲＳを伝達するために使用されるＲＥ（理解及び記憶を容易にするために、時間周波数リソース２−１として示される）は、データ及び／又は信号をもはや伝達しない。したがって、セル１内で、データ１（つまり、第１データの例）は、時間周波数リソース２−１を用いて送信され、データ１は、ネットワーク装置によりセル２内で時間周波数リソースグループ２の中の一部又は全部の時間周波数リソースを用いて送信されるべきデータである。つまり、ネットワーク装置は、セル２が、セル１内で時間周波数リソース２−１を用いてセル２内で送信される必要のあるデータを送信するのを助ける。
【０１４１】
セル２について、時間周波数リソースグループ２の中の一部又は全部の時間周波数リソースは、時間周波数リソース２−１である。したがって、セル１内でデータ１を送信するために使用される時間周波数リソース、及びセル２内でデータ１を送信するために使用される時間周波数リソースは、同じであるべきであり、同じデータブロックが同じＲＥで送信される。
【０１４２】
したがって、本発明の本実施形態で提供される無線通信方法によると、セル１内で、ネットワーク装置は、セル１のＣＲＳを送信するために使用されることを禁止されている時間周波数リソースを調整リソースとして使用して、周波数間近隣セル（つまりセル２）のデータを送信する。その結果、周波数間近隣セルのデータを伝達する信号の信号対雑音比が効果的に向上でき、データ伝送品質が向上する。
さらに、セル１がキャリアアグリゲーション（Carrier  Aggregation,  CA）サービスを期間１内で有するとき、ネットワーク装置は、セル１のＣＲＳを時間周波数リソース２−１で送信することを禁止しない、つまり、ＣＲＳの送信を禁止する状態から、ＣＲＳの送信を許容する状態に切り替え、その結果、ＣＡサービスの送信が期間１内で実行される。ＣＡサービスが終了すると、再び時間周波数リソース２−１でセル１のＣＲＳを送信することが禁止される。上述のように、各セルのＤＲＸ起動期間の開始位置は、ネットワーク装置により、ＤＲＸ期間のセル固有情報を用いて、計算により取得され得る。したがって、ネットワーク装置と端末装置との間の通常通信を実行するために、任意で、方法は、
ネットワーク装置により、指示情報を、第１セル内に位置する端末装置へ送信するステップであって、指示情報は、第１時間周波数リソースグループを示すために使用される、ステップを更に含む。
【０１４３】
具体的に、図６に示すように、ステップＳ２１０で、ネットワーク装置は、第１時間周波数リソースグループを決定し、特定処理及び方法は、前述の説明におけるものと同じである。詳細は、ここで再び記載されない。
【０１４４】
Ｓ２２０で、ネットワーク装置は、指示情報を、第１セルに位置する端末装置（理解及び記載を容易にするために、端末装置＃Ａとして示される）へ送信する。指示情報は、第１時間周波数リソースグループを示すために使用され、つまり端末装置＃Ａに、ネットワーク装置との無線通信を第１時間周波数リソースグループで実行するよう通知するために使用される。
【０１４５】
さらに、端末装置＃Ａは、指示情報を受信し、第１時間周波数リソースグループを決定し、次に、Ｓ２３０で、無線通信を、第１時間周波数リソースグループの中の一部又は全部の時間周波数リソースを用いて実行する。
【０１４６】
一例として、限定ではなく、指示情報は、無線リソース制御（Radio  Resource  Control,  RRC）シグナリングに追加されてよく、又はブロードキャストチャネルを用いて端末装置へ送信されてよい。本発明の本実施形態はこれに限定されない。
【０１４７】
したがって、本発明の本実施形態で提供される無線通信方法によると、周波数内セル間干渉が低減でき、データ伝送品質が向上され、ＣＡサービスが効果的に動的に起動できる。
【０１４８】
本発明の本実施形態で提供される無線通信方法によると、一態様では、Ｎ個の時間周波数リソースグループがＭ個のキャリアを分割することにより取得され、Ｎ個の時間周波数リソースグループのうちの任意の２個の中で、同じキャリアに対応する時間周波数リソースの時間ドメイン位置は異なる。その結果、周波数内セル間干渉は効果的に低減できる。つまり、ネットワーク装置は、異なる時間周波数リソースを用いて、異なるセル内で無線通信を実行できる。同じキャリアに対応する時間周波数リソースの時間ドメイン位置は異なるので、周波数内セル間干渉が効果的に低減できる。従来と比べて、周波数内セル間の制御チャネルの干渉は一層効果的に低減できる。
【０１４９】
別の態様では、同じ時間周波数リソースグループの中のＭ個の時間周波数リソースの時間ドメイン位置は異なる。その結果、ネットワーク装置が無線通信を同じセル内で実行するとき、キャリア間の干渉は効果的に低減でき、同じセル内の異なるキャリア間の電力共有が効果的にサポートできる。
【０１５０】
別の態様では、無線通信を実行するために使用される時間周波数リソースの送信電力は、第１送信電力に従い動的に割り当てられる。その結果、同じセル内の異なるキャリア間の電力共有が効果的に実施できる。
【０１５１】
別の態様では、ネットワーク装置は、第１セル内で、第１時間周波数リソース以外の時間周波数リソースでＣＲＳを送信することを禁止する。その結果、周波数間近隣セルに対する干渉が効果的に低減できる。
【０１５２】
更に別の態様では、第１セル内で、ネットワーク装置は、第１セルのＣＲＳを送信するために使用されることを禁止されている時間周波数リソースを調整リソースとして使用して、周波数間近隣セル（つまり第２セル）のデータを送信する。その結果、周波数間近隣セルのデータを伝達する信号の信号対雑音比が効果的に向上でき、データ伝送品質が向上する。
【０１５３】
本発明の実施形態による無線通信方法は、図１〜図６を参照して上述された。並びに、本発明の実施形態による無線通信機器は、図７〜図１０を参照して以下に記載される。方法の実施形態で記載された技術的特徴は、以下の機器の実施形態にも適用可能である。
【０１５４】
図７は、本発明の実施形態による無線通信機器３００を示す。機器３００は、Ｎ個のセルを含む通信システムにおいて実行され、Ｎ個のセルのうちの少なくとも２個のセルは同じキャリアセットを用いて無線通信を実行でき、キャリアセットはＭ個のキャリアを含み、Ｍ個のキャリアはＮ個の時間周波数リソースグループに分割され、前記Ｎ個の時間周波数リソースグループの各々はＭ個の時間周波数リソースを含み、同じ時間周波数リソースグループの中のＭ個の時間周波数リソースはＭ個のキャリアと１対１対応にあり、任意の２つの時間周波数リソースグループの中で、同じキャリアに対応する時間周波数リソースの時間ドメイン位置は異なり、Ｎ≧２、且つＭ≧２であり、機器３００は、
第１時間周波数リソースグループをＮ個の時間周波数リソースグループから決定するよう構成される決定ユニット３１０と、
無線通信をＮ個のセルのうちの第１セル内で、決定ユニット３１０により決定された第１時間周波数リソースグループの中の一部又は全部の時間周波数リソースを用いて実行するよう構成される通信ユニット３２０であって、第１セルは前記機器により提供される、通信ユニット３２０と、を含む。
【０１５５】
Ｎ個の時間周波数リソースグループはＮ個のセルに割り当てられる。その結果、Ｎ個のセルの各々は、該セルに対応する時間周波数リソースグループを使用してよい。つまり、１つのセルは１つの時間周波数リソースグループを使用してよく、異なるセルは異なる時間周波数リソースグループを使用してよい。
【０１５６】
したがって、本発明の本実施形態で提供される無線通信機器によると、Ｎ個の時間周波数リソースグループがＭ個のキャリアを分割することにより取得され、Ｎ個の時間周波数リソースグループのうちの任意の２個の中で、同じキャリアに対応する時間周波数リソースの時間ドメイン位置は異なる。その結果、周波数内セル間干渉は効果的に低減できる。つまり、ネットワーク装置は、異なる時間周波数リソースを用いて、異なるセル内で無線通信を実行できる。同じキャリアに対応する時間周波数リソースの時間ドメイン位置は異なるので、周波数内セル間干渉が効果的に低減できる。従来と比べて、周波数内セル間の制御チャネルの干渉は一層効果的に低減できる。
【０１５７】
任意で、同じ時間周波数リソースグループの中のＭ個の時間周波数リソースの時間ドメインは異なる。
【０１５８】
したがって、本発明の本実施形態で提供される無線通信機器によると、同じ時間周波数リソースグループの中のＭ個の時間周波数リソースの時間ドメイン位置は異なる。その結果、ネットワーク装置が無線通信を同じセル内で実行するとき、キャリア間の干渉は効果的に低減でき、同じセル内の異なるキャリア間の電力共有が効果的にサポートできる。
【０１５９】
任意で、決定ユニット３１０は、
第１送信電力を決定するよう更に構成され、第１送信電力は、第１セルにより無線通信をＭ個のキャリアで第１期間内に実行するために使用可能な合計送信電力であり、第１期間は第１時間周波数リソースグループの中の一部又は全部の時間周波数リソースのｉ番目の時間周波数リソースに対応する期間であり、ｉ∈［１，Ｐ］、且つＰ≦Ｍである。
【０１６０】
ネットワーク装置は、第２送信電力が第１送信電力以下になるように、第２送信電力を第１送信電力に従い決定する。通信ユニット３２０は、具体的に、無線通信をｉ番目の時間周波数リソースで、第２送信電力を用いて実行するよう構成される。
【０１６１】
したがって、本発明の本実施形態で提供される無線通信機器によると、無線通信を実行するために使用される時間周波数リソースの送信電力は、第１送信電力に従い動的に割り当てられ、それにより、同じセル内の異なるキャリア間の電力共有を効果的に実施する。
【０１６２】
任意で、決定ユニット３１０は、
第２時間周波数リソースグループをＮ個の時間周波数リソースグループから決定するよう更に構成され、第２時間周波数リソースグループは、ネットワーク装置により、無線通信をＮ個のセルのうちの第２セル内で実行するために使用される時間周波数リソースグループであり、
通信ユニット３２０は、
第１セル内で、第１セルのセル固有参照信号ＣＲＳを第２時間周波数リソースグループの中の時間周波数リソースで送信することを禁止するよう更に構成される。
【０１６３】
したがって、本発明の本実施形態で提供される無線通信機器によると、ネットワーク装置は、第１セル内で、第２時間周波数リソースグループ内の時間周波数リソースでＣＲＳを送信することを禁止する。その結果、周波数間近隣セルに対する干渉が効果的に低減できる。
【０１６４】
任意で、機器３００は、
第１データを取得するよう構成される取得ユニット３３０であって、第１データは、第２セル内で第２時間周波数リソースグループの中の一部又は全部の時間周波数リソースを用いて送信されるべきデータである、取得ユニット３３０、を更に含み、
通信ユニット３２０は、
第１セル内で第１データを第２時間周波数リソースグループの中の一部又は全部の時間周波数リソースを用いて送信するよう更に構成される。
【０１６５】
したがって、本発明の本実施形態で提供される無線通信機器によると、第１セル内で、ネットワーク装置は、第１セルのＣＲＳを送信するために使用されることを禁止されている時間周波数リソースを調整リソースとして使用して、周波数間近隣セル（つまり第２セル）のデータを送信する。その結果、第２セルのユーザデータを伝達する信号の信号対雑音比が効果的に向上でき、データ伝送品質が向上する。
【０１６６】
任意で、機器３００は、
Ｍ個のキャリアを分割して、Ｎ個の時間周波数リソースグループを決定するよう構成される分割ユニット３４０、を更に含む。
【０１６７】
任意で、分割ユニット３４０は、具体的に、
Ｍ個のキャリアを物理セル識別子ＰＣＩに従い分割して、Ｎ個の時間周波数リソースグループを決定するよう構成される。
【０１６８】
本発明の本実施形態による無線通信機器３００は、本発明の実施形態の方法におけるネットワーク装置に対応してよい。さらに、無線通信機器３００内のユニット及びモジュール、及び前述の他の動作及び／又は機能は、それぞれ、ネットワーク装置により実行される、方法１００の対応する手順を実施することを意図する。簡潔さのために、詳細はここで記載されない。
【０１６９】
本発明の本実施形態で提供される無線通信機器によると、一態様では、Ｎ個の時間周波数リソースグループがＭ個のキャリアを分割することにより取得され、Ｎ個の時間周波数リソースグループのうちの任意の２個の中で、同じキャリアに対応する時間周波数リソースの時間ドメイン位置は異なる。その結果、周波数内セル間干渉は効果的に低減できる。つまり、ネットワーク装置は、異なる時間周波数リソースを用いて、異なるセル内で無線通信を実行できる。同じキャリアに対応する時間周波数リソースの時間ドメイン位置は異なるので、周波数内セル間干渉が効果的に低減できる。従来と比べて、周波数内セル間の制御チャネルの干渉は一層効果的に低減できる。
【０１７０】
別の態様では、同じ時間周波数リソースグループの中のＭ個の時間周波数リソースの時間ドメイン位置は異なる。その結果、ネットワーク装置が無線通信を同じセル内で実行するとき、キャリア間干渉は効果的に低減でき、同じセル内の異なるキャリア間の電力共有が効果的にサポートできる。
【０１７１】
別の態様では、無線通信を実行するために使用される時間周波数リソースの送信電力は、第１送信電力に従い動的に割り当てられる。その結果、同じセル内の異なるキャリア間の電力共有が効果的に実施できる。
【０１７２】
別の態様では、ネットワーク装置は、第１セル内で、第１時間周波数リソース以外の時間周波数リソースでＣＲＳを送信することを禁止する。その結果、周波数間近隣セルに対する干渉が効果的に低減できる。
【０１７３】
更に別の態様では、第１セル内で、ネットワーク装置は、第１セルのＣＲＳを送信するために使用されることを禁止されている時間周波数リソースを調整リソースとして使用して、周波数間近隣セル（つまり第２セル）のデータを送信する。その結果、周波数間近隣セルのデータを伝達する信号の信号対雑音比が効果的に向上でき、データ伝送品質が向上する。
【０１７４】
図８は、本発明の一実施形態による無線通信機器４００を示す。機器４００はＮ個のセルを含む通信システムにおいて実行され、Ｎ個のセルのうちの少なくとも２個のセルは同じキャリアセットを用いて無線通信を実行でき、キャリアセットはＭ個のキャリアを含み、Ｍ個のキャリアはＮ個の時間周波数リソースグループに分割され、Ｎ個の時間周波数リソースグループの各々はＭ個の時間周波数リソースを含み、同じ時間周波数リソースグループの中のＭ個の時間周波数リソースはＭ個のキャリアと１対１対応にあり、任意の２つの時間周波数リソースグループの中で、同じキャリアに対応する時間周波数リソースの時間ドメイン位置は異なり、Ｎ≧２、且つＭ≧２であり、機器４００は、
ネットワーク装置により送信された指示情報を受信するよう構成される通信ユニット４１０であって、指示情報は、Ｎ個の時間周波数リソースグループの中の第１時間周波数リソースグループを示すために使用され、機器はＮ個のセルのうちの第１セル内に位置し、第１セルはネットワーク装置により提供される、通信ユニット４１０、を含み、
通信ユニット４１０は、無線通信を第１セル内で、第１時間周波数リソースグループの中の一部又は全部の時間周波数リソースを用いて実行するよう更に構成される。
【０１７５】
任意で、同じ時間周波数リソースグループの中のＭ個の時間周波数リソースの時間ドメインは異なる。
【０１７６】
任意で、Ｎ個の時間周波数リソースグループは、Ｍ個のキャリアをネットワーク装置により分割することにより取得される。
【０１７７】
任意で、Ｎ個の時間周波数リソースグループは、Ｍ個のキャリアをネットワーク装置により物理セル識別子ＰＣＩに従い分割することにより取得される。
【０１７８】
本発明の本実施形態による無線通信機器４００は、本発明の実施形態による方法における端末装置に対応してよい。さらに、無線通信機器４００内のユニット及びモジュール、及び前述の他の動作及び／又は機能は、それぞれ、端末装置により実行される、方法２００の対応する手順を実施することを意図する。簡潔さのために、詳細はここで記載されない。
【０１７９】
したがって、本発明の本実施形態で提供される無線通信機器によると、Ｎ個の時間周波数リソースグループがＭ個のキャリアを分割することにより取得され、Ｎ個の時間周波数リソースグループのうちの任意の２個の中で、同じキャリアに対応する時間周波数リソースの時間ドメイン位置は異なる。その結果、周波数内セル間干渉は効果的に低減できる。つまり、端末装置は、異なる時間周波数リソースを用いて、異なるセル内でネットワーク装置との無線通信を実行できる。同じキャリアに対応する時間周波数リソースの時間ドメイン位置は異なるので、周波数内セル間干渉が効果的に低減できる。従来と比べて、周波数内セル間の制御チャネルの干渉は一層効果的に低減できる。
【０１８０】
図９は、本発明の一実施形態による無線通信のためのネットワーク装置５００を示す。ネットワーク装置５００はＮ個のセルを含む通信システムにおいて実行され、Ｎ個のセルのうちの少なくとも２個のセルは、無線通信を同じキャリアセットを用いて実行でき、キャリアセットはＭ個のキャリアを含み、Ｍ個のキャリアはＮ個の時間周波数リソースグループに分割され、Ｎ個の時間周波数リソースグループの各々はＭ個の時間周波数リソースを含み、同じ時間周波数リソースグループの中のＭ個の時間周波数リソースはＭ個のキャリアと１対１対応にあり、任意の２個の時間周波数リソースグループの中で、同じキャリアに対応する時間周波数リソースの時間ドメイン位置は異なり、Ｎ≧２、且つＭ≧２である。ネットワーク装置５００は、プロセッサ５１０、通信機５２０、及びメモリ５３０を含む。プロセッサ５１０、通信機５２０、及びメモリ５３０は、互いに内部接続パスを用いて通信する。
【０１８１】
メモリ５３０は、プログラムを格納するよう構成される。具体的に、プログラムはプログラムコードを含んでよく、プログラムコードはコンピュータ動作命令を含む。メモリ５３０は、読み出し専用メモリ及びランダムアクセスメモリを含み、プロセッサ５１０に命令及びデータを提供してよい。メモリ５３０は、高速ＲＡＭメモリを含んでよく、不揮発性メモリ（non-volatile  memory）、例えば少なくとも１つのディスクメモリを更に含んでよい。
【０１８２】
プロセッサ５１０は、信号を受信し又は送信するよう通信機５２０を制御するために、メモリ５３０に格納されたプログラムを実行する。メモリ５３０は、プロセッサ５１０に統合されてよく、又はプロセッサ５１０と独立であってよい。
【０１８３】
具体的に、プロセッサ５１０は、第１時間周波数リソースグループをＮ個の時間周波数リソースグループから決定するよう構成される。
【０１８４】
通信機５２０は、無線通信をＮ個のセルのうちの第１セル内で、第１時間周波数リソースグループの中の一部又は全部の時間周波数リソースを用いて実行するよう構成される。第１セルは、ネットワーク装置により提供される。
【０１８５】
Ｎ個の時間周波数リソースグループはＮ個のセルに割り当てられる。その結果、Ｎ個のセルの各々は、該セルに対応する時間周波数リソースグループを使用する。つまり、１つのセルは１つの時間周波数リソースグループを使用し、異なるセルは異なる時間周波数リソースグループを使用する。
【０１８６】
したがって、本発明の本実施形態の無線通信ネットワーク装置によると、Ｎ個の時間周波数リソースグループがＭ個のキャリアを分割することにより取得され、Ｎ個の時間周波数リソースグループのうちの任意の２個の中で、同じキャリアに対応する時間周波数リソースの時間ドメイン位置は異なる。その結果、周波数内セル間干渉は効果的に低減できる。つまり、ネットワーク装置は、異なる時間周波数リソースを用いて、異なるセル内で無線通信を実行できる。同じキャリアに対応する時間周波数リソースの時間ドメイン位置は異なるので、周波数内セル間干渉が効果的に低減できる。従来と比べて、周波数内セル間の制御チャネルの干渉は一層効果的に低減できる。
【０１８７】
任意で、同じ時間周波数リソースグループの中のＭ個の時間周波数リソースの時間ドメインは異なる。
【０１８８】
したがって、本発明の本実施形態で提供される無線通信ネットワーク装置によると、同じ時間周波数リソースグループの中のＭ個の時間周波数リソースの時間ドメイン位置は異なる。その結果、ネットワーク装置が無線通信を同じセル内で実行するとき、キャリア間干渉は効果的に低減でき、同じセル内の異なるキャリア間の電力共有が効果的にサポートできる。
【０１８９】
任意で、プロセッサ５１０は、
第１送信電力を決定し、第１送信電力は、第１セルにより、無線通信をＭ個のキャリアで第１期間に実行するために使用可能な合計送信電力であり、第１期間は、第１時間周波数リソースグループの中の一部又は全部の時間周波数リソースのｉ番目の時間周波数リソースに対応する期間であり、ｉ∈［１，Ｐ］、且つＰ≦Ｍであり、
第２送信電力が第１送信電力以下になるように、第２送信電力を第１送信電力に従い決定する、よう更に構成され、
通信５２０は、具体的に、
無線通信をｉ番目の時間周波数リソースで第２送信電力を用いて実行するよう構成される。
【０１９０】
したがって、本発明の本実施形態で提供される無線通信ネットワーク装置によると、無線通信を実行するために使用される時間周波数リソースの送信電力は、第１送信電力に従い動的に割り当てられ、それにより、同じセル内の異なるキャリア間の電力共有を効果的に実施する。
【０１９１】
任意で、プロセッサ５１０は、
第２時間周波数リソースグループをＮ個の時間周波数リソースグループから決定し、第２時間周波数リソースグループは、ネットワーク装置により、無線通信をＮ個のセルのうちの第２セル内で実行するために使用される時間周波数リソースグループであり、
第１セル内で、第１セルのセル固有参照信号ＣＲＳを第２時間周波数リソースグループの中の時間周波数リソースで送信することを禁止する、よう更に構成される。
【０１９２】
したがって、本発明の本実施形態で提供される無線通信ネットワーク装置は、第１セル内で、第２時間周波数リソースグループ内の時間周波数リソースでＣＲＳを送信することを禁止する。その結果、周波数間近隣セルに対する干渉が一層効果的に低減できる。
【０１９３】
任意で、プロセッサ５１０は、
第１データを取得するよう構成され、第１データは、第２セル内で第２時間周波数リソースグループの中の一部又は全部の時間周波数リソースを用いて送信されるべきデータであり、
通信機５２０は、
第１セル内で第１データを第２時間周波数リソースグループの中の一部又は全部の時間周波数リソースを用いて送信するよう更に構成される。
【０１９４】
したがって、第１セル内で、本発明の本実施形態で提供される無線通信ネットワーク装置は、第１セルのＣＲＳを送信するために使用されることを禁止されている時間周波数リソースを調整リソースとして使用して、周波数間近隣セル（つまり第２セル）のデータを送信する。その結果、第２セルのユーザデータを伝達する信号の信号対雑音比が効果的に向上でき、データ伝送品質が向上する。
【０１９５】
任意で、プロセッサ５１０は、
Ｍ個のキャリアを分割して、Ｎ個の時間周波数リソースグループを決定するよう更に構成される。
【０１９６】
任意で、プロセッサ５１０は、具体的に、
Ｍ個のキャリアを物理セル識別子ＰＣＩに従い分割して、Ｎ個の時間周波数リソースグループを決定するよう構成される。
【０１９７】
本発明の本実施形態は、プロセッサに適用され又はプロセッサにより実施されてよい。プロセッサは、集積回路チップであってよく、信号処理能力を有する。実装過程で、前述の方法の中のステップは、プロセッサ５１０の中のハードウェアの集積論理回路、又はソフトウェアの形式の命令により達成されてよい。前述のプロセッサ５１０は、中央処理ユニット（Central  Processing  Unit,  CPU）、ネットワークプロセッサ（Network  Processor,  NP）等を含む汎用プロセッサであってよく、又はデジタル信号プロセッサ（DSP）、特定用途向け集積回路（ASIC）、フィールドプログラマブルゲートアレイ（FPGA）、別のプログラマブル論理素子、個別ゲート又はトランジスタ論理装置、又は個別ハードウェアコンポーネントであってよい。プロセッサ５１０は、本発明の実施形態において開示された方法、ステップ、及び論理ブロック図を実装し又は実行し得る。汎用プロセッサはマイクロプロセッサであってよく、このプロセッサは任意の通常のプロセッサであってよい、等である。本発明の実施形態を参照して開示された方法のステップは、ハードウェア復号プロセッサにより直接実行され達成されてよく、又は復号プロセッサ内のハードウェア及びソフトウェアモジュールの組合せにより実行され達成されてよい。ソフトウェアモジュールは、ランダムアクセスメモリ、フラッシュメモリ、読み出し専用メモリ、プログラマブル読み出し専用メモリ、電気的消去可能プログラマブルメモリ、又はレジスタのような、当分野で成熟した記憶媒体の中に配置されてよい。記憶媒体は、メモリ５３０の中に配置される。プロセッサ５１０は、メモリ５３０から情報を読み取り、プロセッサ５１０のハードウェアと組み合わせて、前述の方法のステップを達成する。繰り返しを回避するために、詳細はここに再び記載されない。
【０１９８】
本発明の本実施形態におけるメモリは、揮発性メモリ又は不揮発性メモリであってよく、或いは揮発性メモリ及び不揮発性メモリの両者を含んでよいことが理解され得る。不揮発性メモリは、読み出し専用メモリ（Read-Only  Memory,  ROM）、プログラマブル読み出し専用メモリ（Programmable  ROM,  PROM）、消去可能プログラマブル読み出し専用メモリ（Erasable  PROM,  EPROM）、電気的消去可能プログラマブル読み出し専用メモリ（Electrically  EPROM,  EEPROM）、又はフラッシュメモリであってよい。揮発性メモリは、高速外部キャッシュとして使用されるランダムアクセスメモリ（Random  Access  Memory,  RAM）であってよい。一例として使用される説明によると、限定ではなく、多くの形式のＲＡＭ、例えば、静的ランダムアクセスメモリ（Static  RAM,  SRAM）、動的ランダムアクセスメモリ（Dynamic  RAM,  DRAM）、同期動的ランダムアクセスメモリ（Synchronous  DRAM,  SDRAM）、ダブルデータレート同期動的ランダムアクセスメモリ（Double  Data  Rate  SDRAM,  DDR  SDRAM）、拡張同期動的ランダムアクセスメモリ（Enhanced  SDRAM,  ESDRAM）、同期リンク動的ランダムアクセスメモリ（Synch  Link  DRAM,  SLDRAM）、及び直接ランバス動的ランダムアクセスメモリ（Direct  Rambus  RAM,  DR  RAM）が利用可能である。留意すべきことに、本願明細書に記載されたシステムのメモリ及び方法の目的は、限定ではないが、上述の及び任意の他の適正な種類のメモリを含む。
【０１９９】
本発明の本実施形態による無線通信のためのネットワーク装置５００は、本発明の実施形態による方法におけるネットワーク装置に対応してよい。さらに、無線通信のためのネットワーク装置５００内のユニット及びモジュール、及び前述の他の動作及び／又は機能は、それぞれ、ネットワーク装置により実行される、方法１００の対応する手順を実施することを意図する。簡潔さのために、詳細はここで記載されない。
【０２００】
したがって、本発明の本実施形態で提供される無線通信ネットワーク装置によると、Ｎ個の時間周波数リソースグループがＭ個のキャリアを分割することにより取得され、Ｎ個の時間周波数リソースグループのうちの任意の２個の中で、同じキャリアに対応する時間周波数リソースの時間ドメイン位置は異なる。その結果、周波数内セル間干渉は効果的に低減できる。つまり、ネットワーク装置が、異なる時間周波数リソースグループを用いて、異なるセル内で無線通信を実行するとき、同じキャリアに対応する時間周波数リソースの時間ドメイン位置が異なるので、周波数内セル間干渉が効果的に低減できる。従来と比べて、周波数内セル間の制御チャネルの干渉は一層効果的に低減できる。
【０２０１】
別の態様では、同じ時間周波数リソースグループの中のＭ個の時間周波数リソースの時間ドメイン位置は異なる。その結果、ネットワーク装置が無線通信を同じセル内で実行するとき、キャリア間干渉は効果的に低減でき、同じセル内の異なるキャリア間の電力共有が効果的にサポートできる。
【０２０２】
別の態様では、無線通信を実行するために使用される時間周波数リソースの送信電力は、第１送信電力に従い動的に割り当てられる。その結果、同じセル内の異なるキャリア間の電力共有が効果的に実施できる。
【０２０３】
別の態様では、ネットワーク装置は、第１セル内で、第１時間周波数リソース以外の時間周波数リソースでＣＲＳを送信することを禁止する。その結果、周波数間近隣セルに対する干渉が効果的に低減できる。
【０２０４】
更に別の態様では、第１セル内で、ネットワーク装置は、第１セルのＣＲＳを送信するために使用されることを禁止されている時間周波数リソースを調整リソースとして使用して、周波数間近隣セル（つまり第２セル）のデータを送信する。その結果、周波数間近隣セルのデータを伝達する信号の信号対雑音比が効果的に向上でき、データ伝送品質が向上する。
【０２０５】
図１０は、本発明の一実施形態による無線通信のための端末装置６００を示す。端末装置６００はＮ個のセルを含む通信システムにおいて実行され、Ｎ個のセルのうちの少なくとも２個のセルは、無線通信を同じキャリアセットを用いて実行でき、キャリアセットはＭ個のキャリアを含み、Ｍ個のキャリアはＮ個の時間周波数リソースグループに分割され、Ｎ個の時間周波数リソースグループの各々はＭ個の時間周波数リソースを含み、同じ時間周波数リソースグループの中のＭ個の時間周波数リソースはＭ個のキャリアと１対１対応にあり、任意の２個の時間周波数リソースグループの中で、同じキャリアに対応する時間周波数リソースの時間ドメイン位置は異なり、Ｎ≧２、且つＭ≧２であり、端末装置６００は、プロセッサ６１０、通信機６２０、及びメモリ６３０を含み、プロセッサ６１０、通信機６２０、及びメモリ６３０は互いに内部接続パスを用いて通信する。
【０２０６】
メモリ６３０は、プログラムを格納するよう構成される。具体的に、プログラムはプログラムコードを含んでよく、プログラムコードはコンピュータ動作命令を含む。メモリ６３０は、読み出し専用メモリ及びランダムアクセスメモリを含み、プロセッサ６１０に命令及びデータを提供してよい。メモリ６３０は、高速ＲＡＭメモリを含んでよく、不揮発性メモリ（non-volatile  memory）、例えば少なくとも１つのディスクメモリを更に含んでよい。
【０２０７】
プロセッサ６１０は、信号を受信し又は送信するよう通信機６２０を制御するために、メモリ６３０に格納されたプログラムを実行する。メモリ６３０は、プロセッサ６１０に統合されてよく、又はプロセッサ６１０と独立であってよい。
【０２０８】
具体的に、通信機６２０は、ネットワーク装置により送信された指示情報を受信するよう構成され、指示情報は、Ｎ個の時間周波数リソースグループの中の第１時間周波数リソースグループを示すために使用され、端末装置は、Ｎ個のセルのうちの第１セルに位置し、第１セルはネットワーク装置により提供され、通信機６２０は、無線通信を第１セル内で第１時間周波数リソースグループの中の一部又は全部の時間周波数リソースを用いて実行するよう更に構成される。
【０２０９】
任意で、同じ時間周波数リソースグループの中のＭ個の時間周波数リソースの時間ドメインは異なる。
【０２１０】
任意で、Ｎ個の時間周波数リソースグループは、Ｍ個のキャリアをネットワーク装置により分割することにより取得される。
【０２１１】
任意で、Ｎ個の時間周波数リソースグループは、Ｍ個のキャリアをネットワーク装置により物理セル識別子ＰＣＩに従い分割することにより取得される。
【０２１２】
本発明の本実施形態は、プロセッサに適用され又はプロセッサにより実施されてよい。プロセッサは、集積回路チップであってよく、信号処理能力を有する。実装過程で、前述の方法の中のステップは、プロセッサ６１０の中のハードウェアの集積論理回路、又はソフトウェアの形式の命令により達成されてよい。前述のプロセッサ６１０は、中央処理ユニット（Central  Processing  Unit,  略称：CPU）、ネットワークプロセッサ（Network  Processor,  略称：NP）等を含む汎用プロセッサであってよく、又はデジタル信号プロセッサ（DSP）、特定用途向け集積回路（ASIC）、フィールドプログラマブルゲートアレイ（FPGA）、別のプログラマブル論理素子、個別ゲート又はトランジスタ論理装置、又は個別ハードウェアコンポーネントであってよい。プロセッサ６１０は、本発明の実施形態において開示された方法、ステップ、及び論理ブロック図を実装し又は実行し得る。汎用プロセッサはマイクロプロセッサであってよく、このプロセッサは任意の通常のプロセッサであってよい、等である。本発明の実施形態を参照して開示された方法のステップは、ハードウェア復号プロセッサにより直接実行され達成されてよく、又は復号プロセッサ内のハードウェア及びソフトウェアモジュールの組合せにより実行され達成されてよい。ソフトウェアは、ランダムアクセスメモリ、フラッシュメモリ、読み出し専用メモリ、プログラマブル読み出し専用メモリ、電気的消去可能プログラマブルメモリ、又はレジスタのような、当分野で成熟した記憶媒体の中に配置されてよい。記憶媒体は、メモリ６３０の中に配置される。プロセッサ６１０は、メモリ６３０から情報を読み取り、プロセッサのハードウェアと組み合わせて、前述の方法のステップを達成する。繰り返しを避けるために、詳細はここに繰り返し記載されない。
【０２１３】
本発明の本実施形態におけるメモリは、揮発性メモリ又は不揮発性メモリであってよく、或いは揮発性メモリ及び不揮発性メモリの両者を含んでよいことが理解され得る。不揮発性メモリは、読み出し専用メモリ（Read-Only  Memory,  ROM）、プログラマブル読み出し専用メモリ（Programmable  ROM,  PROM）、消去可能プログラマブル読み出し専用メモリ（Erasable  PROM,  EPROM）、電気的消去可能プログラマブル読み出し専用メモリ（Electrically  EPROM,  EEPROM）、又はフラッシュメモリであってよい。揮発性メモリは、高速外部キャッシュとして使用されるランダムアクセスメモリ（Random  Access  Memory,  RAM）であってよい。一例として使用される説明によると、限定ではなく、多くの形式のＲＡＭ、例えば、静的ランダムアクセスメモリ（Static  RAM,  SRAM）、動的ランダムアクセスメモリ（Dynamic  RAM,  DRAM）、同期動的ランダムアクセスメモリ（Synchronous  DRAM,  SDRAM）、ダブルデータレート同期動的ランダムアクセスメモリ（Double  Data  Rate  SDRAM,  DDR  SDRAM）、拡張同期動的ランダムアクセスメモリ（Enhanced  SDRAM,  ESDRAM）、同期リンク動的ランダムアクセスメモリ（Synch  Link  DRAM,  SLDRAM）、及び直接ランバス動的ランダムアクセスメモリ（Direct  Rambus  RAM,  DR  RAM）が利用可能である。留意すべきことに、本願明細書に記載されたシステムのメモリ及び方法の目的は、限定ではないが、上述の及び任意の他の適正な種類のメモリを含む。
【０２１４】
本発明の本実施形態による無線通信のための端末装置６００は、本発明の実施形態による方法における端末装置に対応してよい。さらに、無線通信のための端末装置６００内のユニット及びモジュール、及び前述の他の動作及び／又は機能は、それぞれ、端末装置により実行される、方法２００の対応する手順を実施することを意図する。簡潔さのために、詳細はここで記載されない。
【０２１５】
したがって、本発明の本実施形態で提供される無線通信端末装置によると、Ｎ個の時間周波数リソースグループのうちの任意の２個の中で、同じキャリアに対応する時間周波数リソースの時間ドメイン位置は異なる。その結果、周波数内セル間干渉が低減できる。つまり、端末装置は、異なる時間周波数リソースを用いて、異なるセル内でネットワーク装置との無線通信を実行できる。同じキャリアに対応する時間周波数リソースの時間ドメイン位置は異なるので、周波数内セル間干渉が効果的に低減できる。従来と比べて、周波数内セル間の制御チャネルの干渉は一層効果的に低減できる。
【０２１６】
前述の処理のシーケンス番号は、本発明の種々の実施形態において実行順を意味しないことが理解されるべきである。処理の実行順は、機能及び処理の内部ロジックに従い決定されるべきであり、本発明の実施形態の実装過程に対する制限として考えられるべきではない。
【０２１７】
当業者は、本願明細書に開示の実施形態で記載された例と組み合わせて、ユニット及びアルゴリズムのステップが、電子ハードウェア又はコンピュータソフトウェア及び電子ハードウェアの組み合わせにより実施され得ることを認識できる。機能がハードウェア又はソフトウェアにより実行されるかは、技術的ソリューションの特定の適用及び設計制約条件に依存する。当業者は、各々の特定の適用について記載の機能を実施するために異なる方法を使用できるが、実装が本発明の実施形態の範囲を超えると考えられるべきではない。
【０２１８】
便宜上及び簡潔な説明のために、システム、機器、及びユニットの詳細な動作処理については、前述の方法の実施形態における対応する処理を参照してよいことが、当業者により明らかに理解され得る。詳細は、ここで再び記載されない。
【０２１９】
本願において提供される幾つかの実施形態では、開示のシステム、機器、及び方法は他の方法で実装されてよいことが理解されるべきである。例えば、記載した機器の実施形態は単なる一例である。例えば、ユニットの分割は、単なる論理的機能の分割であり、実際の実装では他の分割であってよい。例えば、複数のユニット又はコンポーネントは、別のシステムに結合又は統合されてよい。或いは、幾つかの機能は無視されるか又は実行されなくてよい。さらに、表示した又は議論した相互結合又は直接結合又は通信接続は、幾つかのインタフェースを使用することにより実装されてよい。機器又はユニット間の間接結合又は通信接続は、電子的、機械的又は他の形式で実装されてよい。
【０２２０】
別個の部分として記載されたユニットは、物理的に別個であってよく又はそうでなくてよい。並びに、ユニットとして表示された部分は、物理的なユニットであってよく又はそうでなくてよく、１カ所に置かれてよく又は複数のネットワークユニットに分散されてよい。一部又は全部のユニットは、実施形態のソリューションの目的を達成するために実際の要件に従い選択されて良い。
【０２２１】
さらに、本発明の実施形態における機能ユニットは、１つの処理ユニットに統合されてよく、或いは各ユニットが物理的に単独で存在してよく、或いは２以上のユニットが１つのユニットに統合されてよい。
【０２２２】
機能がソフトウェア機能ユニットの形式で実装され、独立した製品として販売され又は使用されるとき、機能は、コンピュータ可読記憶媒体に格納されてよい。このような理解に基づき、本発明の基本的技術的ソリューション、又は従来技術に貢献する部分、又は一部の技術的ソリューションは、ソフトウェア製品の形式で実施されてよい。ソフトウェア製品は、記憶媒体に格納され、コンピュータ装置（パーソナルコンピュータ、サーバ、ネットワーク装置、等であってよい）に、本発明の実施形態で記載された方法のステップの全部又は一部を実行するよう指示する複数の命令を含む。前述の記憶媒体は、ＵＳＢフラッシュドライブ、取り外し可能ハードディスク、読み出し専用メモリ（Read-Only  Memory,  ROM）、ランダムアクセスメモリ（Random  Access  Memory,  RAM）、磁気ディスク又は光ディスクのような、プログラムコードを格納可能な任意の媒体を含む。
【０２２３】
上述の説明は、本発明の単なる特定の実装であり、本発明の保護範囲を制限するものではない。本発明で開示された技術範囲内にある、当業者により直ちに考案される変形又は置換は、本発明の保護範囲に含まれるべきである。したがって、本発明の実施形態の保護範囲は、請求項の保護範囲に従うべきである。
【図１】
0006861832.tif 000007
【図２Ａ】
0006861832.tif 000008
【図２Ｂ】
0006861832.tif 000009
【図３】
0006861832.tif 000010
【図４】
0006861832.tif 000011
【図５】
0006861832.tif 000012
【図６】
0006861832.tif 000013
【図７】
0006861832.tif 000014
【図８】
0006861832.tif 000015
【図９】
0006861832.tif 000016
【図１０】
0006861832.tif 000017